(57)【要約】【課題】未加硫スリーブの切断中の摩擦熱による温度上昇を抑制し、作業能率の低下を抑制し、未加硫ゴムベルトの品質の低下を抑制し、更に、未加硫ゴムベルトを素材として製造されるラップドＶベルトの品質の低下も抑制する。【解決手段】回転機構は、主軸とともに回転する回転体を有し、回転体の外周に未加硫スリーブが配置されるように構成される。切断機構は、外周に刃が設けられた回転刃本体３７を有する回転刃３６を有し、回転体とともに回転する未加硫スリーブに対して、回転刃３６が回転しながら押し付けられることで、未加硫スリーブを周方向に切断し、未加硫ゴムベルトを形成する。回転刃本体３７には、回転刃本体３７における刃よりも径方向内側の部分から径方向外側に向かって延びる溝５１が形成されている。水供給機構は、溝５１に水を供給する。【選択図】図１１
2018103351.tif 000002
【特許請求の範囲】
【請求項１】
未加硫ゴム層と心線とを有する筒状の未加硫スリーブを周方向に切断して環状の未加硫ゴムベルトを形成するための未加硫ゴムベルト形成装置であって、
主軸とともに回転するように構成された回転体を有し、前記回転体の外周に前記未加硫スリーブが配置されるように構成された、回転機構と、
外周に刃が設けられた回転刃本体を有する回転刃を含み、前記回転体に配置されて前記回転体とともに回転する前記未加硫スリーブに対して、前記回転刃が回転しながら押し付けられることで、前記未加硫スリーブを周方向に切断し、前記未加硫ゴムベルトを形成する、切断機構と、
を備え、
前記回転刃本体には、該回転刃本体における前記刃よりも径方向内側の部分から径方向外側に向かって延びる溝が形成され、
前記溝に水を供給する水供給機構を更に備えていることを特徴とする、未加硫ゴムベルト形成装置。
【請求項２】
請求項１に記載の未加硫ゴムベルト形成装置において、
前記溝は、前記回転刃本体における径方向内側の部分から径方向外側に向かって延びるように形成され、
前記水供給機構は、前記溝における径方向内側の端部に水を供給することを特徴とする、未加硫ゴムベルト形成装置。
【請求項３】
請求項２に記載の未加硫ゴムベルト形成装置において、
前記溝は、前記回転刃本体における径方向内側から径方向外側へ向かって徐々に浅くなるように形成されていることを特徴とする、未加硫ゴムベルト形成装置。
【請求項４】
請求項２又は請求項３に記載の未加硫ゴムベルト形成装置において、
前記溝は、底面部と、該底面部における幅方向両側のそれぞれに設けられた側面部とを有し、
前記底面部と、少なくとも一方の前記側面部との間の角度は、鋭角であることを特徴とする、未加硫ゴムベルト形成装置。
【請求項５】
請求項２から請求項４のいずれか１項に記載の未加硫ゴムベルト形成装置において、
前記回転刃本体には、該回転刃本体における回転中心を含む部分を該回転中心が延びる方向に貫通する貫通孔が形成され、
前記回転刃は、水が通過可能な連通気孔を有する多孔質材料で構成されるとともに前記貫通孔に内側から嵌まり込む多孔質部、を更に有し、
前記水供給機構は、前記連通気孔に水を供給することにより、該連通気孔を介して前記溝における径方向内側の端部に水を供給することを特徴とする、未加硫ゴムベルト形成装置。
【請求項６】
請求項５に記載の未加硫ゴムベルト形成装置において、
前記回転刃は、前記多孔質部を外側から覆う漏水防止部を更に有していることを特徴とする、未加硫ゴムベルト形成装置。
【請求項７】
請求項１に記載の未加硫ゴムベルト形成装置において、
前記水供給機構は、前記回転刃が回転して前記未加硫スリーブを切断しているときに前記回転刃の前記刃が浸漬される水が貯留される水槽、を有することを特徴とする、未加硫ゴムベルト形成装置。
【請求項８】
請求項７に記載の未加硫ゴムベルト形成装置において、
前記溝は、前記回転刃本体における径方向内側の部分から径方向外側に向かって延びるとともに、前記回転刃本体における径方向内側から径方向外側へ向かって徐々に浅くなるように形成されていることを特徴とする、未加硫ゴムベルト形成装置。
【請求項９】
請求項７又は請求項８に記載の未加硫ゴムベルト形成装置において、
前記溝は、底面部と、該底面部における幅方向両側のそれぞれに設けられた側面部とを有し、
前記底面部と、少なくとも一方の前記側面部との間の角度は、鋭角であることを特徴とする、未加硫ゴムベルト形成装置。
【請求項１０】
請求項７から請求項９のいずれか１項に記載の未加硫ゴムベルト形成装置において、
前記溝は、該溝における径方向外側の端部と前記回転刃の回転中心とを結ぶ直線に対して斜め方向に延びるように形成されていることを特徴とする、未加硫ゴムベルト形成装置。
【請求項１１】
請求項１から請求項１０のいずれか１項に記載の未加硫ゴムベルト形成装置において、
前記溝は、直線状に形成されていることを特徴とする、未加硫ゴムベルト形成装置。
【請求項１２】
請求項１から請求項１１のいずれか１項に記載の未加硫ゴムベルト形成装置において、
前記回転刃本体には、複数の前記溝が形成されていることを特徴とする、未加硫ゴムベルト形成装置。
【請求項１３】
未加硫ゴム層と心線とを有する筒状の未加硫スリーブを周方向に切断して環状の未加硫ゴムベルトを形成するための未加硫ゴムベルト形成方法であって、
主軸とともに回転するように構成された回転体の外周に前記未加硫スリーブが配置される、未加硫スリーブ配置工程と、
外周に刃が設けられた回転刃本体を有する回転刃が、前記回転体に配置されて前記回転体とともに回転する前記未加硫スリーブに対して、回転しながら押し付けられることで、前記未加硫スリーブが周方向に切断され、前記未加硫ゴムベルトが形成される、切断工程と、
を含み、
前記回転刃本体には、該回転刃本体における前記刃よりも径方向内側の部分から径方向外側に向かって延びる溝が形成され、
前記溝に水を供給する水供給工程を更に含むことを特徴とする、未加硫ゴムベルト形成方法。
【発明の詳細な説明】
【技術分野】
【０００１】
本発明は、未加硫ゴムベルト形成装置、及び未加硫ゴムベルト形成方法に関する。
【背景技術】
【０００２】
従来より、動力を伝達する伝動ベルトとして、Ｖベルト、Ｖリブドベルト、平ベルトなど、摩擦によって動力を伝達するベルトが広く知られている。Ｖベルトは、Ｖ字状の断面を有する環状の伝動ベルトとして構成されている。そして、Ｖベルトとしては、ラップドＶベルト及びローエッジＶベルトが、用いられている。ラップドＶベルトは、外被布で周囲が覆われたＶベルトとして構成されている。一方、ローエッジＶベルトは、摩擦によって動力を伝達する側面のゴム層が露出した状態のＶベルトとして構成されている。
【０００３】
ラップドＶベルトは、コンプレッサー、発電機、ポンプなどの一般産業用機械、或いは、田植え機、草刈り機などの農業機械、等において、伝動ベルトとして広く用いられている。ラップドＶベルトは、ベルト内周側に圧縮ゴム層が設けられ、ベルト外周側に伸張ゴム層が設けられている。更に、ラップドＶベルトにおいては、圧縮ゴム層と伸張ゴム層との間において、心線が埋設されている。そして、ラップドＶベルトは、環状に設けられた無端状のベルト本体の周囲全体がベルト周方向の全長に亘って外被布で被覆されて構成されている。
【０００４】
特許文献１においては、上述したラップドＶベルトの製造方法が開示されている。特許文献１に開示された製造方法においては、次の工程Ａ、工程Ｂ、及び工程Ｃの各工程が順次実施されることで、ラップドＶベルトが製造される。
【０００５】
上記の工程Ａにおいては、まず、円筒状ドラムの外周面に、圧縮ゴム層の素材の未加硫ゴムシート、心線、及び伸張ゴム層の素材の未加硫ゴムシートが、順次積層されて貼着され、筒状に形成される。これにより、未加硫ゴム層と心線とを有する筒状の未加硫スリーブが形成される。そして、工程Ａにおいては、作成された上記の未加硫スリーブが、円筒状ドラムの外周に配置された状態で、周方向に切断される。これにより、環状の未加硫ゴムベルトが形成される。
【０００６】
更に、工程Ａにおいては、未加硫ゴムベルトがドラムから取り外され、未加硫ゴムベルトの両側面が所定の角度で切削される（スカイブされる）。これにより、未加硫ゴムベルトの断面形状が、Ｖ字状断面となるように形成される。そして、Ｖ字状断面となった未加硫ゴムベルトに対して、その周囲を外被布で覆うカバー巻き処理が施され、未加硫ベルト成形体が形成される。
【０００７】
上記の工程Ａに次ぐ工程Ｂにおいては、上記の未加硫ベルト成形体が、リングモールドの凹溝に挿入される。そして、リングモールド及び未加硫ベルト成形体の外周面に円筒状のゴムスリーブが嵌め込まれた状態で、それらが加硫缶に収納され、所定の温度等の条件で加硫が行われる。これにより、加硫ベルトが生成される。最終の工程Ｃにおいては、生成された加硫ベルトが、リングモールドから取り外される。工程Ｃまで終了することで、ラップドＶベルトが製造される。
【先行技術文献】
【特許文献】
【０００８】
【特許文献１】特開昭６３−２３６６３０号公報
【発明の概要】
【発明が解決しようとする課題】
【０００９】
特許文献１に開示されているように、ラップドＶベルトが製造される際には、未加硫ゴム層と心線とを有する筒状の未加硫スリーブが周方向に切断され、環状の未加硫ゴムベルトが形成される。そして、環状の未加硫ゴムベルトの形成の際には、前述の円筒状ドラム等の回転体の外周に未加硫スリーブが配置された状態で、未加硫スリーブの切断が行われる。このとき、回転体とともに回転する未加硫スリーブに対して、外周に刃が設けられた回転刃が回転しながら押し付けられ、未加硫スリーブが周方向に切断される。
【００１０】
ここで、ラップドＶベルトに要求される仕様の変化についても説明する。近年においては、ラップドＶベルトに要求される仕様が変化する傾向がある。より具体的には、より高度な耐変形性及び耐座屈性、より高い負荷への対応、より大型の機械で伝動ベルトとして用いられることに対応するためのベルト断面積の大型化（特に厚みの大型化）、などが求められる傾向にある。
【００１１】
上記のような、ラップドＶベルトに要求される仕様の変化は、未加硫スリーブを周方向に切断して未加硫ゴムベルトを形成する際の加工において次のような影響を生じることになる。
【００１２】
ラップドＶベルトの仕様として、より高度な耐変形性及び耐座屈性が求められると、素材のゴムの高硬度化が求められる傾向にある。そして、素材のゴム組成物が高硬度化すると、未加硫スリーブを周方向に切断する際における未加硫スリーブと回転刃との間で生じる摩擦熱がより多く生じ易くなる。また、ラップドＶベルトの仕様として、より高い負荷への対応が求められると、径がより大きく太い心線が用いられる傾向にある。そして、より太い心線が用いられると、未加硫スリーブを周方向に切断する際における心線と回転刃との間で生じる摩擦熱がより多く生じ易くなる。また、ラップドＶベルトの仕様として、ベルト断面積の大型化が求められると、未加硫スリーブの断面積も大型化することになる。そして、未加硫スリーブの断面積（厚み）が大型化すると、未加硫スリーブを周方向に切断する際における未加硫スリーブと回転刃との間で生じる摩擦熱がより多く生じ易くなる。
【００１３】
上記のように、近年においては、ラップドＶベルトに要求される仕様の変化に伴い、未加硫スリーブを周方向に切断して未加硫ゴムベルトを形成する際において、摩擦熱がより多く生じる傾向にある。未加硫スリーブの切断中に摩擦熱がより多く生じると、未加硫スリーブが発煙し、作業性の低下を招く虞がある。
【００１４】
また、未加硫スリーブの切断中に摩擦熱がより多く生じると、未加硫スリーブがより高温となり、未加硫スリーブのゴムの粘性が大きく上昇してしまう虞がある。この場合、回転刃にゴムが粘り付くように付着して粘着し易くなる。そして、所望の寸法通りに未加硫スリーブを切断することが困難となり、一つの未加硫ゴムベルトの周方向において、ベルト幅方向の寸法のばらつきが生じ易くなってしまう。このようなベルト幅方向の寸法のばらつきが生じると、未加硫ゴムベルトに外被布を被覆して加硫した後において、一つのラップドＶベルトの周方向におけるベルト断面の寸法のばらつきが生じ易くなる。一つのラップドＶベルトにおけるベルト断面の寸法のばらつきが生じると、伝動ベルトとして使用される際におけるベルト寿命の低下を招いてしまうことになる。
【００１５】
また、未加硫スリーブの切断中に摩擦熱がより多く生じてゴムの粘性が大きく上昇し、回転刃にゴムが粘り付くように付着して粘着すると、回転刃の鋭さが鈍ることになる。回転刃の鋭さが鈍ると、未加硫スリーブが押し切られるようにして切断され、未加硫ゴムベルトが形成されることになる。このような切断状態で未加硫ゴムベルトが形成されると、未加硫ゴムベルトの断面形状の変形量がより大きく生じ、とくに、未加硫ゴムベルトの角部分の形状が大きく変形することなる。このような未加硫ゴムベルトに外被布が被覆されて金型内で加硫されると、金型内での加硫時における断面形状の変化に伴い、心線の並びが乱れてしまう現象が生じることになる。このような心線並びの乱れが生じると、伝動ベルトとして使用される際におけるベルト耐久性の低下を招くことになる。
【００１６】
上述のように、未加硫スリーブの切断中に摩擦熱がより多く生じると、未加硫スリーブの切断作業の作業性の低下を招くことになる。このため、未加硫スリーブの切断中における摩擦熱による温度上昇の抑制が課題となる。そして、未加硫スリーブの切断中における摩擦熱の抑制の実現にあたっては、未加硫ゴムベルトの形成時に加えラップドＶベルトの製造時においても、作業能率の低下を招いてしまうことを抑制できることが必要となる。
【００１７】
また、上述のように、未加硫スリーブの切断中に摩擦熱がより多く生じると、その未加硫スリーブから形成された未加硫ゴムベルトを素材として製造されたラップドＶベルトの品質の低下を招くことになる。この点においても、未加硫スリーブの切断中における摩擦熱による温度上昇の抑制が課題となる。そして、未加硫スリーブの切断中における摩擦熱の抑制の実現にあたっては、未加硫ゴムベルトの品質の低下を抑制し、未加硫ゴムベルトを素材として製造されるラップドＶベルトの品質の低下も抑制できることが必要となる。
【００１８】
本発明は、上記実情に鑑みてなされたものであり、その目的は、未加硫スリーブの切断中における摩擦熱による温度上昇を抑制でき、作業能率の低下を招いてしまうことを抑制できるとともに、未加硫ゴムベルトの品質の低下を抑制し、更に、未加硫ゴムベルトを素材として製造されるラップドＶベルトの品質の低下も抑制することができる、未加硫ゴムベルト形成装置、及び未加硫ゴムベルト形成方法を提供することである。
【課題を解決するための手段】
【００１９】
（１）上記目的を達成するための本発明のある局面に係る未加硫ゴムベルト形成装置は、未加硫ゴム層と心線とを有する筒状の未加硫スリーブを周方向に切断して環状の未加硫ゴムベルトを形成するための未加硫ゴムベルト形成装置であって、主軸とともに回転するように構成された回転体を有し、前記回転体の外周に前記未加硫スリーブが配置されるように構成された、回転機構と、外周に刃が設けられた回転刃本体を有する回転刃を含み、前記回転体に配置されて前記回転体とともに回転する前記未加硫スリーブに対して、前記回転刃が回転しながら押し付けられることで、前記未加硫スリーブを周方向に切断し、前記未加硫ゴムベルトを形成する、切断機構と、を備え、前記回転刃本体には、該回転刃本体における前記刃よりも径方向内側の部分から径方向外側に向かって延びる溝が形成され、前記溝に水を供給する水供給機構を更に備えている。
【００２０】
この構成によると、回転機構及び切断機構が作動し、未加硫スリーブが周方向に切断されて未加硫ゴムベルトが形成される際に、回転刃本体における少なくとも刃（刃先部分）に形成された溝へ水が供給される。このため、未加硫スリーブの切断中に未加硫スリーブと回転刃との間で発生する摩擦熱が、回転刃の刃先部分の水によって効率よく抜熱されることになる。これにより、未加硫スリーブの切断中における摩擦熱による温度上昇を抑制することができる。
【００２１】
そして、上記の構成によると、未加硫スリーブの切断中における摩擦熱による温度上昇を抑制できるため、未加硫スリーブの切断中に発煙して作業性の低下を招いてしまうことを抑制することができる。
【００２２】
更に、上記の構成によると、未加硫スリーブの切断中における摩擦熱による温度上昇を抑制できるため、未加硫スリーブのゴムの粘性の上昇を抑制でき、回転刃にゴムが粘り付くように付着して粘着し易くなることも抑制できる。そして、所望の寸法通りに未加硫スリーブを切断することが容易となり、一つの未加硫ゴムベルトの周方向において、ベルト幅方向の寸法のばらつきが生じてしまうことを抑制することができる。このため、この未加硫ゴムベルトを素材として製造されるラップドＶベルトにおけるベルト断面の寸法のばらつきが生じてしまうことを抑制でき、ベルト寿命の低下を招いてしまうことも抑制することができる。
【００２３】
更に、上記の構成によると、未加硫スリーブの切断中における摩擦熱による温度上昇を抑制し、回転刃にゴムが粘り付くように付着して粘着し易くなることを抑制できるため、切断中に回転刃の鋭さが鈍ってしまうことも抑制することができる。このため、未加硫スリーブが押し切られるように切断され、未加硫ゴムベルトの角部分の形状が大きく変形してしまうことを抑制することができる。これにより、加硫されてラップドＶベルトが製造された際に心線の並びが乱れてしまう現象が生じることも抑制でき、ベルト耐久性の低下を招いてしまうことを抑制することができる。
【００２４】
よって、上記の構成によると、未加硫ゴムベルトの品質の低下を抑制し、更に、未加硫ゴムベルトを素材として製造されるラップドＶベルトの品質の低下も抑制することができる。
【００２５】
尚、本願発明者は、鋭意研究を重ねて上記の構成を発明するまでの過程において、流水を切断中の回転刃に対して流しかけながら未加硫スリーブを切断する装置に関する研究も行った。その装置によると、未加硫スリーブの切断中における摩擦熱による温度上昇を抑制することができることが確認された。
【００２６】
しかしながら、流水を切断中の回転刃に流しかけながら未加硫スリーブを切断する装置を用いて形成した未加硫ゴムベルトに外被布を被覆して加硫を行うと、加硫の際に、ラップドＶベルトの品質上の問題が生じることが知見された。具体的には、加硫の際に、未加硫ゴムベルトに対して付着及び浸透した水分が気化し、心線とゴムとの剥離、ゴムとゴムとの剥離、或いは外被布とゴムとの剥離が生じ、ラップドＶベルトのベルト耐久性を大きく低下させる品質上の問題が生じることが知見された。
【００２７】
また、本願発明者は、流水を切断中の回転刃にかけながら未加硫スリーブを切断する装置を用いて形成した未加硫ゴムベルトを加硫する前に、未加硫ゴムベルトの乾燥を行うことについても研究を行った。しかしながら、未加硫ゴムベルトに対して付着及び浸透した水分を十分に除去するためには、多くの乾燥時間を要し、とくに、心線とゴムとの間に浸透した水分を十分に除去するためには、非常に多くの乾燥時間を要することが確認された。このため、ミスト状でない水を切断中の回転刃にかけながら未加硫スリーブを切断する装置を用いて形成した未加硫ゴムベルトを加硫する前に、その未加硫ゴムベルトの乾燥を行う手法については、ラップドＶベルトの製造時に、非常に多くの乾燥時間を要し、作業能率の低下を招いてしまうことが知見された。
【００２８】
一方、本発明の構成によると、未加硫スリーブが周方向に切断されて未加硫ゴムベルトが形成される際に、溝を介して回転刃の刃先へごく僅かな水が流出する。このため、未加硫ゴムベルトに対して多量の水分が付着及び浸透することを抑制することができる。これにより、本発明の構成によると、流水を切断中の回転刃にかけながら未加硫スリーブを切断して未加硫ゴムベルトを形成する手法とは異なり、乾燥工程がほぼ不要となる。よって、ラップドＶベルトの製造時に、多くの乾燥時間を要して作業能率の低下を招いてしまうことも抑制できる。
【００２９】
以上説明したように、本発明の構成によると、未加硫スリーブの切断中における摩擦熱による温度上昇を抑制でき、作業能率の低下を招いてしまうことを抑制できるとともに、未加硫ゴムベルトの品質の低下を抑制し、更に、未加硫ゴムベルトを素材として製造されるラップドＶベルトの品質の低下も抑制することができる、未加硫ゴムベルト形成装置を提供することができる。
【００３０】
（２）好ましくは、前記溝は、前記回転刃本体における径方向内側の部分から径方向外側に向かって延びるように形成され、前記水供給機構は、前記溝における径方向内側の端部に水を供給する。
【００３１】
この構成によると、水供給機構によって溝における径方向内側の端部から供給された水が、回転する回転刃の遠心力によって溝内を流れて、回転刃における刃（刃先部分）へ移動する。これにより、溝における径方向内側の端部に供給された水を、回転刃の回転力を利用して効率的に刃先部分へ移動させることができる。
【００３２】
（３）更に好ましくは、前記溝は、前記回転刃本体における径方向内側から径方向外側へ向かって徐々に浅くなるように形成されている。
【００３３】
この構成によると、溝における径方向内側の端部に供給された水が、回転刃の遠心力によって径方向外側へ向かって流れる際、溝から徐々に溢れ出す。そうすると、刃先部分における溝が形成された部分だけでなく、刃先部分におけるその他の部分にも水が行き渡る。これにより、刃先部分全体を万遍なく冷却できる。
【００３４】
（４）好ましくは、前記溝は、底面部と、該底面部における幅方向両側のそれぞれに設けられた側面部とを有し、前記底面部と、少なくとも一方の前記側面部との間の角度は、鋭角である。
【００３５】
この構成によると、溝の開口部の幅寸法を維持しつつ、溝の延出方向に垂直な方向における溝の断面積を大きくすることができる。これにより、溝の開口部から外方への水の飛散を抑制しつつ、溝内へ多くの水を案内することができる。これにより、刃先部分へ供給される水の量を確保することができる。なお、ここで説明した溝の開口部とは、各溝における回転刃本体の厚さ方向（回転軸が延びる方向）に開口している部分である。
【００３６】
（５）好ましくは、前記回転刃本体には、該回転刃本体における回転中心を含む部分を該回転中心が延びる方向に貫通する貫通孔が形成され、前記回転刃は、水が通過可能な連通気孔を有する多孔質材料で構成されるとともに前記貫通孔に内側から嵌まり込む多孔質部、を更に有し、前記水供給機構は、前記連通気孔に水を供給することにより、該連通気孔を介して前記溝における径方向内側の端部に水を供給する。
【００３７】
この構成によると、多孔質部内に一旦保持された水を刃先部分へ供給することができるため、刃先部分へ供給される水量の安定化を図ることができる。
【００３８】
（６）更に好ましくは、前記回転刃は、前記多孔質部を外側から覆う漏水防止部を更に有している。
【００３９】
この構成によると、多孔質部内にしみ込んだ水が、溝における径方向内側の端部以外の部分から流出することを防止できる。言い換えれば、この構成によると、水を、溝における径方向内側の端部へ集中的に流すことができるため、ひいては、回転刃の刃先部分へ水を集中的に流すことができる。これにより、回転刃及び未加硫スリーブを効率的に冷却できるため、回転刃のうち摩擦熱による温度上昇が起こり易い刃先部分を、少ない水で効率的に冷却することができる。
【００４０】
（７）好ましくは、前記水供給機構は、前記回転刃が回転して前記未加硫スリーブを切断しているときに前記回転刃の前記刃が浸漬される水が貯留される水槽、を有する。
【００４１】
この構成によると、回転刃の回転中に該回転刃の刃先部分が浸漬される水が貯留される水槽を設けるだけで、少なくとも回転刃の刃先部分に設けられた溝に水を供給することができる。言い換えれば、この構成によると、容易な構成で、回転刃の刃先部分へ水を供給することができる。
【００４２】
（８）更に好ましくは、前記溝は、前記回転刃本体における径方向内側の部分から径方向外側に向かって延びるとともに、前記回転刃本体における径方向内側から径方向外側へ向かって徐々に浅くなるように形成されている。
【００４３】
この構成によると、溝に供給された水が、回転刃の遠心力によって径方向外側へ向かって流れる際、溝から徐々に溢れ出す。そうすると、刃先部分における溝が形成された部分だけでなく、刃先部分におけるその他の部分にも水が行き渡る。これにより、刃先部分全体を万遍なく冷却できる。
【００４４】
（９）好ましくは、前記溝は、底面部と、該底面部における幅方向両側のそれぞれに設けられた側面部とを有し、前記底面部と、少なくとも一方の前記側面部との間の角度は、鋭角である。
【００４５】
この構成によると、溝の開口部の幅寸法を維持しつつ、溝の延出方向に垂直な方向における溝の断面積を大きくすることができる。これにより、溝の開口部から外方への水の飛散を抑制しつつ、溝内へ多くの水を案内することができる。これにより、刃先部分へ供給される水の量を確保することができる。なお、ここで説明した溝の開口部とは、各溝における回転刃本体の厚さ方向（回転軸が延びる方向）に開口している部分である。
【００４６】
（１０）好ましくは、前記溝は、該溝における径方向外側の端部と前記回転刃の回転中心とを結ぶ直線に対して斜め方向に延びるように形成されている。
【００４７】
この構成によれば、回転刃の回転方向を、回転刃に形成された溝における径方向外側の端部から水槽内の水が浸入するような方向に設定することで、溝内へ水が浸入しやすくなる。これにより、溝内へ効率的に水を含ませることができる。
【００４８】
（１１）好ましくは、前記溝は、直線状に形成されている。この構成によると、簡素化された形状の溝を形成することができる。
【００４９】
（１２）好ましくは、前記回転刃本体には、複数の前記溝が形成されている。この構成によると、各溝を流れる水によって、刃先部分を均一的に冷却することができる。
【００５０】
（１３）上記目的を達成するための本発明のある局面に係る未加硫ゴムベルト形成方法は、未加硫ゴム層と心線とを有する筒状の未加硫スリーブを周方向に切断して環状の未加硫ゴムベルトを形成するための未加硫ゴムベルト形成方法であって、主軸とともに回転するように構成された回転体の外周に前記未加硫スリーブが配置される、未加硫スリーブ配置工程と、外周に刃が設けられた回転刃本体を有する回転刃が、前記回転体に配置されて前記回転体とともに回転する前記未加硫スリーブに対して、回転しながら押し付けられることで、前記未加硫スリーブが周方向に切断され、前記未加硫ゴムベルトが形成される、切断工程と、を含み、前記回転刃本体には、該回転刃本体における前記刃よりも径方向内側の部分から径方向外側に向かって延びる溝が形成され、前記溝に水を供給する水供給工程を更に含む。
【００５１】
この方法によると、未加硫スリーブが周方向に切断されて未加硫ゴムベルトが形成される際に、回転刃本体に形成された溝へ水が供給される。このため、未加硫スリーブの切断中に未加硫スリーブと回転刃との間で発生する摩擦熱が、回転刃の刃先部分の水によって効率よく抜熱されることになる。これにより、未加硫スリーブの切断中における摩擦熱による温度上昇を抑制することができる。
【００５２】
そして、上記の方法によると、本発明のある局面に係る未加硫ゴムベルト成形装置と同様の効果を奏することができる。即ち、上記の構成によると、未加硫スリーブの切断中における摩擦熱による温度上昇を抑制でき、作業能率の低下を招いてしまうことを抑制できるとともに、未加硫ゴムベルトの品質の低下を抑制し、更に、未加硫ゴムベルトを素材として製造されるラップドＶベルトの品質の低下も抑制することができる、未加硫ゴムベルト形成方法を提供することができる。
【発明の効果】
【００５３】
本発明によると、未加硫スリーブの切断中における摩擦熱による温度上昇を抑制でき、作業能率の低下を招いてしまうことを抑制できるとともに、未加硫ゴムベルトの品質の低下を抑制し、更に、未加硫ゴムベルトを素材として製造されるラップドＶベルトの品質の低下も抑制することができる、未加硫ゴムベルト形成装置、及び未加硫ゴムベルト形成方法を提供することができる。
【図面の簡単な説明】
【００５４】
【図１】ラップドＶベルトの一部を示す斜視図であって、一部を断面で示す図である。
【図２】ラップドＶベルトの製造工程を示すチャート図である。
【図３】未加硫スリーブを示す斜視図である。
【図４】未加硫ゴムベルトを示す斜視図である。
【図５】未加硫ゴムベルトの一部を示す斜視図であって、一部を断面で示す図である。
【図６】本発明の一実施の形態に係る未加硫ゴムベルト形成装置を示す正面図である。
【図７】未加硫ゴムベルト形成装置の平面図である。
【図８】未加硫ゴムベルト形成装置の側面図である。
【図９】図６に示す未加硫ゴムベルト形成装置の一部を拡大して示す図である。
【図１０】図７に示す未加硫ゴムベルト形成装置の一部を拡大して示す図である。
【図１１】カッター部における回転刃付近の部分断面図であって、水供給機構とともに模式的に示す図である。
【図１２】回転刃の正面図であって、回転刃における回転刃本体及び多孔質部のみを示す図である。
【図１３】図１２に示す複数の溝の１つを拡大して示す図である。
【図１４】溝の横断面図であって、図１４（Ａ）は、図１３のＸＩＶＡ−ＸＩＶＡ線における断面図、図１４（Ｂ）は、図１３のＸＩＶＢ−ＸＩＶＢ線における断面図、図１４（Ｃ）は、図１３のＸＩＶＣ−ＸＩＶＣ線における断面図、図１４（Ｄ）は、図１３のＸＩＶＤ−ＸＩＶＤ線における断面図、である。
【図１５】未加硫ゴムベルト形成装置の作動を説明するための図である。
【図１６】本発明の一実施の形態に係る未加硫ゴムベルト形成方法を示すチャート図である。
【図１７】未加硫ゴムベルト形成装置によって、未加硫スリーブが全幅に亘って周方向に切断され、複数の未加硫ゴムベルトが形成された状態を示す図である。
【図１８】変形例に係る未加硫ゴムベルト形成装置のカッター部における回転刃付近の部分断面図であって、水供給機構とともに模式的に示す図である。
【図１９】図１８に示す回転刃の正面図である。
【図２０】変形例に係る未加硫ゴムベルト形成装置が有する、回転刃本体で構成された回転刃の正面図である。
【図２１】変形例に係る未加硫ゴムベルト形成装置が有する、回転刃本体で構成された回転刃の正面図である。
【図２２】図２１に示す回転刃の一部と水槽とを模式的に示す図である。
【発明を実施するための形態】
【００５５】
以下、本発明を実施するための形態について図面を参照しながら説明する。尚、以下の説明においては、まず、ラップドＶベルトの概略及びラップドＶベルトの製造工程の概略について説明し、次いで、ラップドＶベルトの製造に関して適用される本発明の実施形態に係る未加硫ゴムベルト形成装置及び未加硫ゴムベルト形成方法について説明する。
【００５６】
［ラップドＶベルトの概略］
図１は、ラップドＶベルト１００の一部を示す斜視図であって、一部を断面で示す図である。ラップドＶベルト１００は、コンプレッサーなどの一般産業用機械、或いは、田植え機などの農業機械、等において、動力伝達用の無端状の伝動ベルトとして用いられる。そして、ラップドＶベルト１００は、Ｖ字状の断面を有する環状の伝動ベルトとして構成されている。
【００５７】
尚、図１においては、環状に延びるラップドＶベルト１００の周方向に対して垂直な断面が図示されている。また、図１においては、ラップドＶベルト１００の周方向が、両端矢印Ａで示されており、周方向に対して直交するベルト幅方向が、両端矢印Ｂで示されている。
【００５８】
ラップドＶベルト１００は、外被布１０１、圧縮ゴム層１０２、伸張ゴム層１０３、心線１０４を備えて構成されている。
【００５９】
環状に設けられたラップドＶベルト１００のベルト本体は、積層構造を有しており、ベルト内周側からベルト外周側に向かって、圧縮ゴム層１０２、心線１０４、伸張ゴム層１０３が、順次積層されている。よって、ラップドＶベルト１００においては、圧縮ゴム層１０２と伸張ゴム層１０３との間において、心線１０４が埋設されている。心線１０４は、ラップドＶベルト１００の周方向に沿って延びるように配置されている。そして、心線１０４は、ラップドＶベルト１００の周方向に垂直な断面において、ベルト幅方向に沿って所定の間隔で配列されている。
【００６０】
また、ラップドＶベルト１００は、環状に設けられた無端状のベルト本体の周囲全体が周方向の全長に亘って外被布１０１で被覆されて構成されている。そして、ラップドＶベルト１００は、その周方向に対して垂直な断面の形状が、Ｖ字状の断面形状である。より具体的には、ラップドＶベルト１００の断面形状は、ベルト外周側からベルト内周側に向かってベルト幅が小さくなる台形状に構成されている。
【００６１】
［ラップドＶベルトの製造工程の概略］
図２は、ラップドＶベルト１００の製造工程を示すチャート図である。図２に示すように、ラップドＶベルト１００の製造工程は、未加硫スリーブ形成工程Ｓ１０１、未加硫ゴムベルト形成工程Ｓ１０２、スカイブ工程Ｓ１０３、カバー巻き工程Ｓ１０４、加硫工程Ｓ１０５を備えて構成されている。
【００６２】
図３は、未加硫ゴム層と心線とを有する筒状の未加硫スリーブ１０５を示す斜視図である。未加硫スリーブ形成工程Ｓ１０１は、未加硫スリーブ１０５を形成する工程として構成されている。
【００６３】
未加硫スリーブ形成工程Ｓ１０１においては、まず、未加硫ゴム（即ち、加硫が行われていない状態のゴム）のシートが、圧延によって形成される。そして、圧延によって形成された未加硫ゴムのシートが、所定の長さに切断され、円筒状或いは円柱状の回転体に対して、巻き付けられる。回転体の外周に巻き付けられた未加硫ゴムのシートは、その端部同士が接合され、筒状に成形される。筒状に成形された未加硫ゴムのシートが、ラップドＶベルト１００における圧縮ゴム層１０２の素材となる。
【００６４】
そして、回転体の外周に筒状の未加硫ゴムの成形体が形成されると、次いで、前述の心線１０４が、周方向に沿って巻き付けられる。心線１０４は、筒状の未加硫ゴムの成形体に対して、幅方向に沿って所定のピッチでずらされながら、周方向に沿ってスパイラル状に巻き付けられる。尚、筒状の未加硫ゴムの成形体の幅方向は、上記の回転体の軸方向と平行な方向として構成される。心線１０４は、筒状の未加硫ゴムの成形体に対して、幅方向のほぼ全長に亘って、巻き付けられる。
【００６５】
筒状の未加硫ゴムの成形体の外周への心線１０４の巻き付けが終了すると、次いで、心線１０４の上から、圧延によって形成された未加硫ゴムのシートが巻き付けられる。心線１０４の上から巻き付けられた未加硫ゴムのシートは、その端部同士が接合され、筒状に成形される。心線１０４の外周側に巻き付けられた筒状の未加硫ゴムのシートが、ラップドＶベルト１００における伸張ゴム層１０３の素材となる。
【００６６】
上述した未加硫スリーブ形成工程Ｓ１０１によって、未加硫スリーブ１０５が形成される。尚、図３に示す未加硫スリーブ１０５は、回転体から取り外された状態が示されている。
【００６７】
図４は、未加硫ゴムベルト１０６を示す斜視図である。未加硫ゴムベルト形成工程Ｓ１０２は、未加硫スリーブ１０５を周方向に切断して環状の未加硫ゴムベルト１０６を形成する工程として構成されている。未加硫ゴムベルト形成工程Ｓ１０２は、本発明の実施形態に係る未加硫ゴムベルト形成方法として構成され、本発明の実施形態に係る未加硫ゴムベルト形成装置を用いることで実施される。
【００６８】
図５は、未加硫ゴムベルト１０６の一部を示す斜視図であって、一部を断面で示す図である。図５においては、環状に延びる未加硫ゴムベルト１０６の周方向に対して垂直な断面が図示されている。また、図５においては、未加硫ゴムベルト１０６の周方向が、両端矢印Ａで示されており、周方向に対して直交するベルト幅方向が、両端矢印Ｂで示されている。
【００６９】
図５に示すように、未加硫ゴムベルト１０６は、内周側未加硫ゴム層１０７、心線１０４、外周側未加硫ゴム層１０８を備えて構成されている。そして、未加硫ゴムベルト１０６においては、内周側未加硫ゴム層１０７と外周側未加硫ゴム層１０８との間において、心線１０４が配置されている。
【００７０】
内周側未加硫ゴム層１０７は、ラップドＶベルト１００における圧縮ゴム層１０２の素材となる。外周側未加硫ゴム層１０８は、ラップドＶベルト１００における伸張ゴム層１０３の素材となる。内周側未加硫ゴム層１０７及び外周側未加硫ゴム層１０８を構成するゴム成分としては、加硫又は架橋可能なゴム、例えば、ジエン系ゴム（天然ゴム、イソプレンゴム、ブタジエンゴム、クロロプレンゴム、スチレンブタジエンゴム、アクリロニトリルブタジエンゴム（ニトリルゴム）、水素化ニトリルゴムなど）、エチレン−α−オレフィンエラストマー、クロロスルフォン化ポリエチレンゴム、アルキル化クロロスルフォン化ポリエチレンゴム、エピクロルヒドリンゴム、アクリル系ゴム、シリコーンゴム、ウレタンゴム、フッ素ゴムなどが例示でき、これらのゴム成分は単独で又は二種以上組み合わせて使用できる。好ましいゴム成分は、エチレン−α−オレフィンエラストマー（エチレン−プロピレンゴム（ＥＰＲ）、エチレン−プロピレン−ジエンモノマー（ＥＰＤＭなど）などのエチレン−α−オレフィン系ゴム）、クロロプレンゴムである。特に好ましいゴム成分は、クロロプレンゴムである。クロロプレンゴムは、硫黄変性タイプであってもよく、非硫黄変性タイプであってもよい。尚、内周側未加硫ゴム層１０７のゴム成分、及び、外周側未加硫ゴム層１０８のゴム成分は、同系統又は同種のゴムを使用する場合が多い。
【００７１】
心線１０４としては、通常、マルチフィラメント糸を使用した撚りコード（例えば、諸撚り、片撚り、ラング撚りなど）を使用できる。心線１０４を構成する繊維としては、ポリエステル繊維、アラミド繊維などの合成繊維、ガラス繊維、炭素繊維などの無機繊維などが使用できる。心線１０４の表面には、慣用の接着処理（又は表面処理）が施されていてもよい。
【００７２】
スカイブ工程Ｓ１０３は、未加硫ゴムベルト１０６の両側面における内周側の両角部分を周方向に亘って削るように切削することでスカイブ（ｓｋｉｖｅ）し、未加硫ゴムベルト１０６の断面形状を変更する工程として構成されている。スカイブ工程Ｓ１０３においては、未加硫ゴムベルト１０６の内周側未加硫ゴムの内周側の両角部分が周方向に亘って削れるように切削される。これにより、スカイブ工程Ｓ１０３の処理が施される前の状態で矩形状の断面だった未加硫ゴムベルト１０６の断面の形状は、スカイブ工程Ｓ１０３の処理が施された後の状態においては、矩形状の部分と台形状の部分とが組み合わされた断面の形状となる。
【００７３】
カバー巻き工程Ｓ１０４は、スカイブ工程Ｓ１０３の処理が終了した未加硫ゴムベルト１０６を外被布１０１で被覆する工程として構成されている。カバー巻き工程Ｓ１０４においては、環状の未加硫ゴムベルト１０６の周囲全体が周方向の全長に亘って外被布１０１で被覆される。これにより、未加硫ゴムベルト１０６が外被布１０１で被覆されて構成された未加硫ベルト成形体が形成される。
【００７４】
加硫工程Ｓ１０５は、未加硫ベルト成形体における可塑性の未加硫ゴムを加熱して弾性ゴムに変化させる工程として構成されている。加硫工程Ｓ１０５においては、例えば、逆台形状の断面の溝が外周に設けられた円筒状のリングモールドが用いられる。リングモールドに設けられた複数の溝に対して未加硫ベルト成形体がそれぞれ嵌め込まれる。そして、複数の未加硫ベルト成形体が嵌め込まれたリングモールドの周囲に、円筒状のゴムスリーブが更に嵌め込まれる。
【００７５】
加硫工程Ｓ１０５においては、上記のようにリングモールド及び未加硫ベルト成形体の外周面に円筒状のゴムスリーブが嵌め込まれた状態で、それらが加硫缶に収納され、所定の温度等の条件で加硫が行われる。加硫が終了してリングモールド等が解体され、加硫された成形体がラップドＶベルト１００として取り出される。このように、加硫工程Ｓ１０５まで終了することで、ラップドＶベルト１００が製造されることになる。
【００７６】
［未加硫ゴムベルト形成装置の概略］
図６は、本発明の一実施の形態に係る未加硫ゴムベルト形成装置１を示す正面図である。図７は、未加硫ゴムベルト形成装置１の平面図である。図８は、未加硫ゴムベルト形成装置１の側面図である。未加硫ゴムベルト形成装置１が作動することで、本発明の一実施の形態に係る未加硫ゴムベルト形成方法が実施され、前述のラップドＶベルト１００の製造工程における未加硫ゴムベルト形成工程Ｓ１０２が実施されることになる。
【００７７】
図６乃至図８に示す未加硫ゴムベルト形成装置１は、未加硫ゴム層と心線１０４とを有する筒状の未加硫スリーブ１０５を周方向に切断して環状の未加硫ゴムベルト１０６を形成するための装置として構成されている。そして、未加硫ゴムベルト形成装置１は、回転機構１１、切断機構１２、水供給機構１３、制御装置１４、等を備えて構成されている。
【００７８】
また、本実施形態においては、ベース１５が更に備えられている未加硫ゴムベルト形成装置１が、例示されている。尚、図７においては、ベース１５の図示が省略されている。回転機構１１、切断機構１２、水供給機構１３、制御装置１４は、ベース１５上に設置されている。本実施形態では、ベース１５が備えられた未加硫ゴムベルト形成装置１が例示されているが、ベース１５が備えられていない形態の未加硫ゴムベルト形成装置１が実施されてもよい。
【００７９】
［回転機構］
図６乃至図８に示すように、回転機構１１は、主軸１６、支持部１７、回転ドラム１８、外周スリーブ１９、モータ２０、ベルト駆動機構２１、等を備えて構成されている。
【００８０】
主軸１６は、金属製の円筒状又は円柱状の軸として構成され、支持部１７に対して回転自在に支持されている。また、主軸１６は、モータ２０からの駆動トルクが入力されることで回転するように構成されている。支持部１７は、ベース１５上に設置され、主軸１６を回転自在に支持するとともにモータ２０を収納する筐体として構成されている。
【００８１】
回転ドラム１８は、円筒状の部分を有する金属製の筒状体として設けられている。そして、回転ドラム１８は、主軸１６とともに回転するように、主軸１６に対して取り付けられている。例えば、回転ドラム１８の円筒軸方向における両端部のそれぞれに蓋部が設けられ、これらの蓋部が主軸１６に対して固定される。また、回転ドラム１８は、主軸１６の回転中心軸線と回転ドラム１８の回転中心軸線とが一致するように、主軸１６に対して取り付けられている。
【００８２】
外周スリーブ１９は、ゴム製の円筒形状のスリーブとして設けられ、回転ドラム１８の外周に装着される。外周スリーブ１９の内周の直径は、回転ドラム１８の外周の直径にほぼ対応する寸法に設定されている。回転ドラム１８が回転する際、回転ドラム１８に装着された外周スリーブ１９は、回転ドラム１８とともに同一の回転速度で回転する。尚、外周スリーブ１９は、後述する切断機構１２によって未加硫スリーブ１０５が切断される際に回転ドラム１８の表面を切断機構１２から保護するために設けられている。
【００８３】
回転ドラム１８の外周に外周スリーブ１９が装着されて構成された回転体２２に対して、未加硫スリーブ１０５が配置される。即ち、未加硫スリーブ１０５は、回転ドラム１８の外周に装着された外周スリーブ１９の外周に対して配置される。
【００８４】
未加硫スリーブ１０５は、例えば、回転体２２に対して未加硫のゴムシート及び心線１０４が巻き付けられることで形成され、これにより、未加硫スリーブ１０５が回転体２２に配置される。即ち、回転ドラム１８及び外周スリーブ１９を備えて構成された回転体２２を用いて前述の未加硫スリーブ形成工程Ｓ１０１が実施されて未加硫スリーブ１０５が形成され、未加硫スリーブ１０５が回転体２２に配置された状態となる。
【００８５】
上記のように、回転機構１１は、主軸１６とともに回転するように構成された回転体２２を有し、回転体２２の外周に未加硫スリーブ１０５が配置されるように構成されている。
【００８６】
尚、本実施形態では、未加硫スリーブ１０５が配置される回転体として、回転ドラム１８及び外周スリーブ１９を備えて構成された回転体２２を例示したが、この通りでなくてもよい。例えば、回転ドラム１８が、未加硫スリーブ１０５が配置される回転体として構成され、未加硫スリーブ１０５が回転ドラム１８の外周に直接に配置される形態が実施されてもよい。また、本実施形態では、回転ドラム１８及び外周スリーブ１９を備えて構成された回転体２２を用いて未加硫スリーブ１０５が形成され、未加硫スリーブ１０５が回転体２２に対してそのまま配置される形態を例示したが、この通りでなくてもよい。回転機構１１の回転体２２とは異なる別の回転体を用いて未加硫スリーブ１０５が形成され、その別の回転体から取り外された未加硫スリーブ１０５が、回転機構１１の回転体２２に対して装着されて配置される形態が実施されてもよい。
【００８７】
モータ２０は、主軸１６を回転駆動するための駆動トルクを発生させる電動モータとして構成されている。本実施形態では、モータ２０は、支持部１７に収納されている。モータ２０は、図示が省略された電源から電気エネルギーが供給され、後述する制御装置１４からの制御指令に基づいて作動し、所定の回転速度で回転する。モータ２０は、出力軸２０ａの軸方向が主軸１６の軸方向と平行となるように、支持部１７に設置されている。
【００８８】
ベルト駆動機構２１は、モータ２０からの駆動トルクを主軸１６に伝達する機構として設けられている。ベルト駆動機構２１は、駆動プーリ２１ａ、従動プーリ２１ｂ、駆動ベルト２１ｃを備えて構成されている。
【００８９】
駆動プーリ２１ａは、モータ２０の出力軸２０ａに固定され、出力軸２０ａとともに回転するように構成されている。従動プーリ２１ｂは、主軸１６に対して、支持部１７を介して回転ドラム１８側とは反対側の端部において、固定されている。駆動ベルト２１ｃは、無端状のベルトとして設けられている。そして、駆動ベルト２１ｃは、駆動プーリ２１ａ及び従動プーリ２１ｂに対して巻き掛けられ、駆動プーリ２１ａの駆動トルクを従動プーリ２１ｂに伝達するベルトとして構成されている。
【００９０】
後述する制御装置１４からの制御指令に基づいてモータ２０の運転が行われると、出力軸２０ａとともに駆動プーリ２１ａが回転する。駆動プーリ２１ａが回転することで、駆動プーリ２１ａ及び従動プーリ２１ｂに巻き掛けられた駆動ベルト２１ｃの周回動作が行われる。駆動ベルト２１ｃの周回動作が行われると、従動プーリ２１ｂが回転し、従動プーリ２１ｂとともに主軸１６が回転することになる。そして、主軸１６とともに、回転ドラム１８及び外周スリーブ１９が回転する。尚、回転ドラム１８及び外周スリーブ１９が回転する方向については、図６において、矢印Ｃ１で示されている。
【００９１】
［切断機構］
図９は、図６に示す未加硫ゴムベルト形成装置１の一部を拡大して示す図である。図１０は、図７に示す未加硫ゴムベルト形成装置１の一部を拡大して示す図である。図９及び図１０においては、切断機構１２が拡大して示されている。図６乃至図１０に示す切断機構１２は、幅方向移動機構２３、進退移動機構２４、カッター部２５、基台部２６、等を備えて構成されている。
【００９２】
基台部２６は、ベース１５上に設置され、幅方向移動機構２３、進退移動機構２４、及びカッター部２５を支持する台座部として設けられている。幅方向移動機構２３、進退移動機構２４、及びカッター部２５は、基台部２６の上面に設置されている。
【００９３】
幅方向移動機構２３は、進退移動機構２４及びカッター部２５を、基台部２６に対して、回転体２２の外周に配置された未加硫スリーブ１０５の幅方向と平行な方向に沿って移動させる機構として、構成されている。尚、未加硫スリーブ１０５の幅方向は、未加硫スリーブ１０５が筒状に延びる方向であり、図７及び図８において、両端矢印Ｂで示されている。また、未加硫スリーブ１０５が回転体２２の外周に配置された状態においては、未加硫スリーブ１０５の幅方向は、主軸１６の軸方向と平行な方向となる。
【００９４】
幅方向移動機構２３は、一対のレール（２７ａ、２７ｂ）、ボールネジ機構２８、移動プレート２９、等を備えて構成されている。一対のレール（２７ａ、２７ｂ）は、移動プレート２９の移動方向をガイドするレールとして設けられている。一対のレール（２７ａ、２７ｂ）は、基台部２６の上面に固定されて設置されている。そして、一対のレール（２７ａ、２７ｂ）は、主軸１６の軸方向、即ち、回転体２２に配置された未加硫スリーブ１０５の幅方向と平行に延びるように設置されている。
【００９５】
ボールネジ機構２８は、ネジ軸２８ａ、ボールネジモータ２８ｂ、軸受２８ｃ、ナット部２８ｄ、図示が省略された複数のボール、等を備えて構成されている。
【００９６】
ネジ軸２８ａは、一方の端部がボールネジモータ２８ｂによって支持され、他方の端部が軸受２８ｃによって回転自在に支持されている。そして、基台部２６上において、ネジ軸２８ａは、その軸方向が一対のレール（２７ａ、２７ｂ）と平行に延びるように、配置されている。ボールネジモータ２８ｂは、ネジ軸２８ａをその軸心を中心として回転駆動する電動モータとして構成されている。そして、ボールネジモータ２８ｂは、図示が省略された電源から電気エネルギーが供給され、後述する制御装置１４からの制御指令に基づいて作動し、所定の回数分だけ回転するように、構成されている。
【００９７】
ナット部２８ｄは、ネジ軸２８ａが貫通しており、ネジ軸２８ａが回転することでネジ軸２８ａの軸方向に沿ってネジ軸２８ａに対して相対移動するブロック状の要素として設けられている。ナット部２８ｄの内部においては、ネジ軸２８ａのネジ溝に対向するネジ溝が形成されている。そして、ナット部２８ｄのネジ溝とネジ軸２８ａのネジ溝との間には、両方の溝に対して転動自在に嵌まり込む複数のボールが配置されている。ネジ軸２８ａが軸心回りに回転することで、ナット部２８ｄ及びネジ軸２８ａの間で複数のボールが循環し、ナット部２８ｄが、ネジ軸２８ａに対して軸方向に相対移動する。
【００９８】
また、ナット部２８ｄは、その上面側において、移動プレート２９の下面に対して固定されている。また、ナット部２８ｄは、一対のレール（２７ａ、２７ｂ）の間に嵌りこむように配置されている。そして、ナット部２８ｄは、一対のレール（２７ａ、２７ｂ）に対して摺動自在の状態で配置されている。このため、ネジ軸２８ａが回転すると、ナット部２８ｄが、一対のレール（２７ａ、２７ｂ）によってガイドされながら、ネジ軸２８ａの軸方向に沿って移動する。
【００９９】
移動プレート２９は、平板状の部材として設けられ、その下面側においてナット部２８ｄに固定されている。更に、移動プレート２９は、その下面側において、一対のレール（２７ａ、２７ｂ）の上面に対して、摺動自在の状態で、支持されている。そして、移動プレート２９の上面には、進退移動機構２４が設置されている。
【０１００】
進退移動機構２４は、カッター部２５を、移動プレート２９に対して、回転体２２の外周に配置された未加硫スリーブ１０５に対して進出及び退避させる方向に沿って移動させる機構として、構成されている。進退移動機構２４は、一対のレール（３０ａ、３０ｂ）、移動ブロック３１、シリンダ機構３２、等を備えて構成されている。
【０１０１】
一対のレール（３０ａ、３０ｂ）は、移動ブロック３１の移動方向をガイドするレールとして設けられている。一対のレール（３０ａ、３０ｂ）は、移動プレート２９の上面に固定されて設置されている。そして、一対のレール（３０ａ、３０ｂ）は、移動プレート２９上において、回転体２２に配置された未加硫スリーブ１０５に向かって接近する方向に沿って延びるように、設置されている。より具体的には、一対のレール（３０ａ、３０ｂ）は、回転体２２に配置された未加硫スリーブ１０５に向かって接近する方向であって、且つ、主軸１６の軸方向と平行な方向に対して直交する方向に沿って、延びるように、移動プレート２９上で設置されている。
【０１０２】
移動ブロック３１は、移動プレート２９上に配置されブロック状の要素として設けられている。また、移動ブロック３１は、移動プレート２９の上面に対してスライド移動自在に配置される。そして、移動ブロック３１の下面側には、一対のレール（３０ａ、３０ｂ）に対してスライド移動自在に嵌まり込む一対の溝が設けられている。
【０１０３】
シリンダ機構３２は、シリンダ体３２ａとロッド３２ｂとを備えた油圧シリンダ機構として設けられている。シリンダ体３２ａは、移動プレート２９の上面において移動プレート２９に対して固定されている。ロッド３２ｂには、シリンダ体３２ａの内部を一対の油室に区画するピストン（図示省略）が、一方の端部に設けられている。そして、ロッド３２ｂは、シリンダ体３２ａ内の一対の油室への圧油の給排が行われることで、シリンダ体３２ａから突出し或いはシリンダ体３２ａに向かって縮退する。尚、上記の一対の油室は、例えば、圧油源（図示省略）及び油回収タンク（図示省略）に対して切換弁（図示省略）を介して接続されている。そして、制御装置１４からの制御指令に基づいて、上記の切換弁の状態が切り換えられ、シリンダ体３２ａ内の一対の油室への圧油の給排が制御され、シリンダ機構３２の作動が制御される。
【０１０４】
また、ロッド３２ｂは、ピストンが設けられた一方の端部と反対側の端部において、移動ブロック３１に対して固定されている。これにより、進退移動機構２４は、ロッド３２ｂがシリンダ体３２ａから突出することで、移動ブロック３１が一対のレール（３０ａ、３０ｂ）に沿って、回転体２２に配置された未加硫スリーブ１０５に向かって進出する方向に移動するように、構成されている。また、進退移動機構２４は、ロッド３２ｂがシリンダ体３２ａに向かって縮退することで、移動ブロック３１が一対のレール（３０ａ、３０ｂ）に沿って、回転体２２に配置された未加硫スリーブ１０５から退避する方向に移動するように、構成されている。
【０１０５】
カッター部２５は、外周に刃が設けられた回転刃３６を有し、回転する回転刃３６によって未加硫スリーブ１０５を周方向に切断する機構として設けられている。そして、カッター部２５は、カッターモータ３３、動力伝達部３４、回転刃カバー３５、上記の回転刃３６、等を備えて構成されている。
【０１０６】
カッターモータ３３は、動力伝達部３４を介して回転刃を回転駆動する駆動トルクを発生する電動モータとして構成されている。そして、カッターモータ３３は、図示が省略された電源から電気エネルギーが供給され、後述する制御装置１４からの制御指令に基づいて作動し、所定の回転速度で回転するように構成されている。
【０１０７】
動力伝達部３４は、カッターモータ３３からの駆動トルクを回転刃３６に伝達する機構として設けられている。動力伝達部３４は、例えば、駆動プーリ、従動プーリ、駆動ベルトを有する機構として構成され、ベルト駆動機構２１と同様の機構として構成されている。尚、図９及び図１０においては、駆動プーリ、従動プーリ、駆動ベルトを収納する動力伝達部３４のハウジングのみが図示されており、駆動プーリ、従動プーリ、駆動ベルトの図示は省略されている。
【０１０８】
動力伝達部３４の駆動プーリは、カッターモータ３３の出力軸（図示省略）に連結され、動力伝達部３４の従動プーリは、回転刃３６の回転軸４０に連結されている。カッターモータ３３が回転すると、その駆動トルクが動力伝達部３４の駆動プーリに入力されて駆動ベルトが周回動作を行い、従動プーリも回転する。そして、従動プーリの回転とともに、回転刃３６が回転する。なお、回転軸４０については、後述する図１１で図示されていて、図９及び図１０では、その図示が省略されている。
【０１０９】
回転刃カバー３５は、回転刃３６の周囲を部分的に覆うカバーとして設けられている。回転刃カバー３５には、回転刃３６の回転軸４０の両端部のそれぞれを回転自在に支持する軸受部（図示省略）が設けられている。また、回転刃カバー３５は、動力伝達部３４のハウジングに固定されている。
【０１１０】
図１１は、カッター部２５における回転刃３６付近の部分断面図であって、後述する水供給機構１３とともに模式的に示す図である。また、図１２は、回転刃３６の正面図であって、回転刃３６における回転刃本体３７及び多孔質部３８のみを示す図である。
【０１１１】
回転刃３６は、外周に刃が設けられた円形形状の丸刃として構成されている。回転刃３６は、回転刃本体３７と、多孔質部３８と、漏水防止シート３９（漏水防止部）とを有している。尚、回転刃３６が回転する方向については、図６において、矢印Ｃ２で示されている。
【０１１２】
回転刃本体３７は、外周側に向かって鋭く切っ先状に尖るように形成された刃が設けられている硬質状の部分である。回転刃本体３７の外周の刃（刃先部分３６ａ）は、円形の回転刃本体３７の外周の全周に亘って設けられている。本実施形態では、回転刃本体３７は超鋼材料で構成される。しかし、これに限らず、セラミックで構成されていてもよい。回転刃本体３７の外径Ｄは、例えば一例として２００ｍｍである。
【０１１３】
回転刃本体３７には、回転刃本体貫通孔３７ａ（貫通孔）が形成されている。この回転刃本体貫通孔３７ａは、回転刃本体３７における回転中心を含む部分を該回転中心が延びる方向に貫通している。回転刃本体貫通孔３７ａの内径ｄは、例えば一例として、外径Ｄが２００ｍｍに設定された回転刃本体３７に対して、６０ｍｍ〜８０ｍｍの範囲内で設定されるのが好ましい。
【０１１４】
回転刃本体３７には、図１２を参照して、複数の溝５１が形成されている。各溝５１は、回転刃本体３７における径方向内側の縁部から径方向外側に向かって、直線状に延びるように形成されている。複数の溝５１は、回転刃本体３７の径方向に沿って等間隔に形成されている。なお、図１２では、各溝５１を、模式的に直線状の実線で図示している。
【０１１５】
溝５１は、回転刃本体３７の両面に形成されている。図１２では、溝５１が、回転刃本体３７の厚さ方向における一方側の面に１６本、形成されている例を示している。また、図示は省略するが、回転刃本体３７の厚さ方向における他方側の面にも、１６本の溝５１が形成されている。回転刃本体３７における一方側の面に形成される溝５１の本数は、１０本〜３０本の範囲内であることが好ましい。
【０１１６】
本実施形態では、詳しくは後述する水供給機構１３側から搬送されてきた水が、溝５１を介して回転刃本体３７の刃先部分３６ａに供給される。溝５１における回転刃本体３７の径方向内側の端部は、水供給機構１３を介して搬送される水が流入する流入端５１ａとして設けられている。また、溝５１における回転刃本体３７の径方向外側の端部は、該溝５１を流れた水が刃先部分３６ａへ流出する流出端５１ｂとして設けられている。
【０１１７】
図１３は、図１２に示す複数の溝５１の１つを拡大して示す図である。また、図１４は、溝５１の横断面図であって、図１４（Ａ）は、図１３のＸＩＶＡ−ＸＩＶＡ線における断面図、図１４（Ｂ）は、図１３のＸＩＶＢ−ＸＩＶＢ線における断面図、図１４（Ｃ）は、図１３のＸＩＶＣ−ＸＩＶＣ線における断面図、図１４（Ｄ）は、図１３のＸＩＶＤ−ＸＩＶＤ線における断面図、である。
【０１１８】
溝５１は、上述したように、回転刃本体３７における径方向内側の端部から径方向外側に向かって直線状に延びるように形成されている。溝５１は、底面部５２及び一対の側面部５３ａ，５３ｂを有している。
【０１１９】
底面部５２は、回転刃本体３７の径方向に延びるように設けられている。底面部５２の深さＨ（溝５１の深さＨ）は、図１４（Ａ）〜図１４（Ｄ）に示すように、径方向内側から径方向外側へ向かって、徐々に浅くなるように形成されている。また、底面部５２の幅Ｗａ（溝５１の幅Ｗａ）は、図１４（Ａ）〜図１４（Ｄ）に示すように、回転刃本体３７の径方向内側から径方向外側へ向かって、徐々に狭くなるように形成されている。一方、溝５１の開口部５４の幅Ｗｂは、図１４（Ａ）〜図１４（Ｄ）に示すように、回転刃本体３７の径方向内側から径方向外側に亘って、一定である。
【０１２０】
なお、溝５１のうち最も径方向内側の部分の深さＨは、例えば１ｍｍ〜３ｍｍの範囲内で設定されるのが好ましい。溝５１のうち最も径方向外側の部分の深さＨは、例えば０となるように形成されるのが好ましい。
【０１２１】
また、溝５１のうち最も径方向内側の部分の幅Ｗａは、例えば２ｍｍ〜５ｍｍの範囲内で設定されるのが好ましい。溝５１のうち最も径方向外側の部分の幅Ｗａは、例えば０．５ｍｍ〜２ｍｍの範囲内で設定されるのが好ましい。
【０１２２】
一対の側面部５３ａ，５３ｂは、直角側面部５３ａ及び鋭角側面部５３ｂを有している。
【０１２３】
直角側面部５３ａは、底面部５２と同様、回転刃本体３７の径方向に延びるように設けられている。直角側面部５３ａは、底面部５２の幅方向における一方側の縁部に対して設けられている。また、直角側面部５３ａと底面部５２との間の角度は、直角となるように設定されている。
【０１２４】
鋭角側面部５３ｂは、底面部５２と同様、回転刃本体３７の径方向に延びるように設けられている。鋭角側面部５３ｂは、底面部５２の幅方向における、直角側面部５３ａが設けられている側と反対側の縁部に対して設けられている。
【０１２５】
また、本実施形態では、底面部と、少なくとも一方の側面部との間の角度が、鋭角となっている。具体的には、本実施形態では、底面部５２と鋭角側面部５３ｂとの間の角度θが、鋭角となるように設定されている。図１４では、鋭角側面部５３ｂと底面部５２との角度θが、６０度である例を図示している。この角度θは、５０度〜７０度の範囲内で設定されているのが好ましい。
【０１２６】
多孔質部３８は、回転刃３６における径方向内側の部分として設けられている。多孔質部３８は、その外径が回転刃本体３７の回転刃本体貫通孔３７ａの内径とほぼ同じ略円板状に形成され、回転刃本体貫通孔３７ａに内側から嵌まり込んでいる。多孔質部３８には、該多孔質部３８の中心部を貫通する多孔質部貫通孔３８ａが形成されていて、その多孔質部貫通孔３８ａには、回転軸４０が挿入された状態で固定されている。
【０１２７】
多孔質部３８は、連通気孔４１が内部に形成された多孔質材料、例えば一例として多孔質セラミックで構成されている。連通気孔４１は、多孔質材料内に形成された各気孔が付近の気孔と互いに連通することにより形成されている。このように、連通気孔４１を有する多孔質材料で多孔質部３８を構成することにより、水が、連通気孔４１を通過することが可能となる。なお、ここでは、多孔質部３８を構成する材料として多孔質セラミックを例に挙げたが、これに限らず、水が通過可能な連通気孔４１が内部に形成された多孔質材料であれば、どのような材料であってもよい。また、図１１では、連通気孔４１を模式的に細い実線で網の目状に示しているが、実際の連通気孔４１は、複数の気孔が互いに連通することにより形成されている。
【０１２８】
漏水防止シート３９は、透水性が極めて低いシート状の部材であって、多孔質部３８を外側から覆っている。漏水防止シート３９は、例えば一例として、極めて薄い樹脂製のシートによって構成されている。漏水防止シート３９は、外径が多孔質部３８と同じ円形状に形成され、中央部分に丸い開口穴３９ａ，３９ｂを有している。漏水防止シート３９は、多孔質部３８における両側面のそれぞれに貼り付けられている。多孔質部３８における一方側（図１１における左側）に設けられている漏水防止シート３９の開口穴３９ａは、回転軸４０が多孔質部３８に挿通されて固定された状態において、該回転軸４０との間に隙間ができない程度の大きさに形成されている。一方、多孔質部３８における他方側（図１１における右側）に設けられている漏水防止シート３９の開口穴３９ｂは、詳しくは後述する円筒部４２が多孔質部３８に固定された状態において、該円筒部４２との間に隙間ができない程度の大きさに形成されている。なお、図１１では、漏水防止シート３９の厚みについては模式的に示しており、回転刃３６の厚みに対する漏水防止シート３９の厚みは、図１１に示す厚みよりも薄い。
【０１２９】
また、回転刃３６の多孔質部３８には、円筒部４２（筒部）が固定されている。円筒部４２は、後述する水供給機構１３の一部である水流路４６を構成している。
【０１３０】
円筒部４２は、細長い円筒状に形成された部材である。円筒部４２は、例えば一例として、ねじ止め等によって多孔質部３８に固定されている。円筒部４２は、回転刃カバー３５の内側に配置されているため、図６から図１０ではその図示が省略されている。円筒部４２は、その内径が、回転刃３６の回転軸４０の外径よりも大きくなるように形成されていて、回転刃３６の回転軸４０と同心状となるように（すなわち、回転刃３６と同心状となるように）、回転刃３６に固定されている。これにより、回転刃３６の回転軸４０と円筒部４２との間には、隙間が形成される。当該円筒部４２の内部には、後述する配水管Ｐを介して、水が供給される。
【０１３１】
図１５は、未加硫ゴムベルト形成装置１の平面図であって、未加硫ゴムベルト形成装置１の作動を説明するための図である。未加硫ゴムベルト形成装置１の切断機構１２は、上述した幅方向移動機構２３、進退移動機構２４、カッター部２５を備え、後述する制御装置１４からの制御指令に基づいて作動する。また、切断機構１２が作動する際には、制御装置１４からの制御指令に基づいて、回転機構１１も作動する。そして、回転機構１１及び切断機構１２が作動することで、図１５に示すように、未加硫スリーブ１０５が周方向に切断され、未加硫ゴムベルト１０６が形成される。
【０１３２】
切断機構１２の作動の際には、まず、制御装置１４からの制御指令に基づいて、ボールネジモータ２８ｂが所定の回数分だけ回転し、幅方向移動機構２３が作動する。これにより、未加硫ゴムベルト１０６のベルト幅方向の寸法に対応した位置で未加硫スリーブ１０５の切断が行われるように、未加硫スリーブ１０５の幅方向と平行な方向における移動プレート２９の位置の位置決めが行われる。即ち、未加硫ゴムベルト１０６のベルト幅方向の寸法に対応した位置で未加硫スリーブ１０５の切断が行われるように、進退移動機構２４及びカッター部２５の位置の位置決めが行われる。
【０１３３】
上記のように進退移動機構２４及びカッター部２５の位置の位置決めが行われると、次いで、制御装置１４からの制御指令に基づいて、モータ２０が所定の回転速度で回転し、カッターモータ３３も所定の回転速度で回転する。これにより、回転機構１１の作動が開始され、主軸１６とともに回転体２２とその回転体２２の外周に配置された未加硫スリーブ１０５の回転が開始される。そして、カッター部２５の作動も開始され、回転刃３６の回転が開始される。また、回転機構１１及びカッター部２５の作動が開始されると、制御装置１４からの制御指令に基づいて、後述する水供給機構１３の作動も開始される。
【０１３４】
上記のように制御装置１４からの制御指令に基づいて回転機構１１及びカッター部２５が作動する際におけるモータ２０及びカッターモータ３３の回転速度は、未加硫スリーブ１０５及び回転刃３６の条件に応じて予め定められたそれぞれの回転速度に設定される。
【０１３５】
上記のように回転機構１１及びカッター部２５の作動が開始されると、制御装置１４からの制御指令に基づいて、シリンダ機構３２が作動する。これにより、シリンダ体３２ａからロッド３２ｂが突出し、移動ブロック３１とともにカッター部２５が未加硫スリーブ１０５に向かって進出する。そして、カッター部２５の進出に伴い、回転刃３６は、未加硫スリーブ１０５を厚み方向に切断して外周スリーブ１９に回転刃３６の刃先の先端が僅かに接触する位置まで、未加硫スリーブ１０５に向かって進出する。
【０１３６】
上記のように回転刃３６が未加硫スリーブ１０５に向かって進出することで、主軸１６及び回転体２２とともに回転する未加硫スリーブ１０５に対して、回転刃３６が回転しながら押し付けられることになる。そして、図１５に示すように、回転刃３６の刃先が外周スリーブ１９に僅かに接触する位置まで回転刃３６が進出することで、未加硫スリーブ１０５が回転刃３６によって周方向に切断され、未加硫ゴムベルト１０６が形成される。図１５においては、回転刃３６によって切断ライン１０６ａにて未加硫スリーブ１０５から未加硫ゴムベルト１０６が切断されて形成された状態が図示されている。尚、カッター部２５が作動して回転刃３６が回転している間は、後述する水供給機構１３の作動も維持されている。
【０１３７】
上記のように、切断機構１２は、外周に刃が設けられた回転刃３６を有し、回転体２２に配置されて回転体２２とともに回転する未加硫スリーブ１０５に対して、回転刃３６が回転しながら押し付けられることで、未加硫スリーブ１０５を周方向に切断し、未加硫ゴムベルト１０６を形成する機構として、構成されている。
【０１３８】
［水供給機構］
水供給機構１３は、水供給源（図示省略）に連通する配水管Ｐからの水（例えば水道水）を、溝５１の流入端５１ａに供給するためのものである。本実施形態では、水供給機構１３は、回転刃３６の多孔質部３８の連通気孔４１へ水を供給することにより、該連通気孔４１を介して溝５１の流入端５１ａに水を供給する。
【０１３９】
水供給機構１３は、図１１を参照して、水圧調整弁４５と、水流路４６とを有している。
【０１４０】
水圧調整弁４５は、例えば一例として電磁弁によって構成されている。水圧調整弁４５は、水流路４６よりも上流側の配水管Ｐに設けられていて、水供給源からの水道水の水圧を調整するために設けられている。この水圧調整弁４５により、水供給源側から回転刃３６側へ供給される水の流量を調整することができる。水圧調整弁４５は、制御装置１４からの制御指令に基づいて作動する。制御装置１４からの制御指令に基づいて水圧調整弁４５の水圧が調整されることで、回転刃３６の連通気孔４１へ供給される水の流量が調整される。
【０１４１】
水供給機構１３では、例えば一例として、操作機器（図示省略）を介して、ユーザが予め必要な水圧を入力する。水圧調整弁４５は、配水管Ｐによって水流路４６に搬送される水の圧力が、ユーザによって入力された水圧となるように、水圧調整弁４５の開度を調整する。ユーザは、水流路４６の水圧を変更したい場合には、操作機器を介して、所望の水圧値を入力すればよい。
【０１４２】
水流路４６は、上述したように、円筒部４２によって構成される。水供給機構１３では、配水管Ｐ側から搬送されてきた水が、水流路４６としての円筒部４２の内部（より詳しくは、回転軸４０の外周面と円筒部４２の内周面との間）を介して、回転刃３６における回転軸４０付近へ搬送される。
【０１４３】
［水供給機構から回転刃の刃先部分へ供給される水の流れ］
上述した水流路４６から回転刃３６における回転軸４０付近へ搬送された水は、以下のようにして回転刃３６の刃先部分３６ａへ供給される。なお、図１１では、水供給機構１３から刃先部分３６ａへ供給される水の流れを、白抜きの矢印で図示している。
【０１４４】
具体的には、水流路４６からの水は、図１１を参照して、多孔質部３８における回転軸４０付近の部分へ流れた後、多孔質部３８内へしみ込む。このようにして多孔質部３８内へしみ込んだ水は、回転刃３６の遠心力によって径方向外側へ向かって流れた後、回転刃本体３７に形成された溝５１の流入端５１ａに到達する。溝５１の流入端５１ａに到達した水は、回転刃３６の遠心力によって、溝５１を介して刃先部分３６ａへ流れる。これにより、回転刃３６の刃先部分３６ａへ水を供給することができる。
【０１４５】
ここで、溝５１は、図１４を参照して、その深さＨが、流入端５１ａから流出端５１ｂへ向かうにつれて（回転刃本体３７の径方向内側から径方向外側へ向かうにつれて）浅くなるように形成されている。こうすると、溝５１を流れる水が刃先部分３６ａへ向かって徐々に溝５１外へ溢れ出すため、水が、刃先部分３６ａにおける溝５１が形成されていない部分にも行き渡る。これにより、刃先部分３６ａ全体を均一的に冷却できる。
【０１４６】
なお、多孔質部３８内の連通気孔４１を流れる水のうち、多孔質部３８の側面（図１１における多孔質部３８の右側の面及び左側の面）から外方へ流出しようとする水は、漏水防止シート３９によってその流出が規制される。これにより、水を、溝５１の流入端５１ａへ集中的に流すことができるため、ひいては回転刃３６の刃先部分３６ａへ集中的に流すことができる。これにより、回転刃３６及び未加硫スリーブ１０５を効率的に冷却できる。
【０１４７】
［制御装置］
図７に示す制御装置１４は、未加硫ゴムベルト形成装置１において、回転機構１１、切断機構１２、水供給機構１３の作動を制御する制御部として設けられている。前述の通り、回転機構１１、切断機構１２、水供給機構１３は、制御装置１４からの制御指令に基づいて作動する。
【０１４８】
制御装置１４は、ＣＰＵ等のプロセッサ、メモリ、ユーザによって操作される操作パネル又は操作盤等の操作部、インターフェース回路、等を備えて構成されている。制御装置１４のメモリには、回転機構１１、切断機構１２、水供給機構１３の作動を制御する制御指令を作成するためのプログラムが記憶されている。ユーザによって操作部が操作されることで、メモリから上記のプログラムがプロセッサによって読み出されて実行される。これにより、上記の制御指令が作成され、その制御指令に基づいて、回転機構１１、切断機構１２、水供給機構１３が作動する。
【０１４９】
制御装置１４からの制御指令に基づいて、モータ２０が回転し、駆動トルクがベルト駆動機構２１を介して主軸１６に伝達される。そして、主軸１６とともに回転体２２が回転し、回転体２２とともに回転体２２に配置された未加硫スリーブ１０５が回転する。また、制御装置１４からの制御指令に基づいて、ボールネジモータ２８ｂが所定の回数分だけ回転して移動プレート２９が基台部２６上で所定量移動する。
【０１５０】
そして、制御装置１４からの制御指令に基づいて、カッターモータ３３が回転し、駆動トルクが動力伝達部３４を介して回転刃３６に伝達され、回転刃３６が回転する。また、制御装置１４からの制御指令に基づいて水供給機構１３が作動するため、水が、水流路４６、多孔質部３８の連通気孔４１、及び回転刃本体３７の溝５１を順に通じて、回転刃３６の刃先部分３６ａへ供給される。更に、制御装置１４からの制御指令に基づいて、シリンダ機構３２が作動し、移動ブロック３１とともに回転刃３６が未加硫スリーブ１０５に向かって進出する。これにより、回転刃３６の刃と未加硫スリーブ１０５における切断対象部分との間を、刃先部分３６ａに供給された水によって冷却且つ潤滑しつつ、未加硫スリーブ１０５を周方向に切断して未加硫ゴムベルト１０６を形成することができる。尚、本実施形態では、制御装置１４からの制御指令に基づいて、回転機構１１、切断機構１２、水供給機構１３が作動する形態を例にとって説明したが、この通りでなくてもよい。未加硫ゴムベルト形成装置１において、制御装置１４が備えられておらず、ユーザによる操作に基づいて、回転機構１１、切断機構１２、水供給機構１３が作動する形態が実施されてもよい。
【０１５１】
［未加硫ゴムベルトの形成方法］
次に、本発明の一実施の形態に係る未加硫ゴムベルト形成方法について説明する。図１６は、本発明の一実施の形態に係る未加硫ゴムベルト形成方法を示すチャート図である。図１６に示す未加硫ゴムベルト形成方法は、未加硫ゴム層と心線１０４とを有する未加硫スリーブ１０５を周方向に切断して環状の未加硫ゴムベルト１０６を形成する未加硫ゴムベルト形成方法として構成されている。図１６に示す未加硫ゴムベルト形成方法は、前述の実施形態に係る未加硫ゴムベルト形成装置１が作動することで実施される。
【０１５２】
図１６に示すように、本実施形態の未加硫ゴムベルト形成方法は、未加硫スリーブ配置工程Ｓ２０１、水供給工程Ｓ２０２、切断工程Ｓ２０３、未加硫ゴムベルト取り外し工程Ｓ２０５を備えて構成されている。未加硫スリーブ配置工程Ｓ２０１が実施され、次いで、水供給工程Ｓ２０２及び切断工程Ｓ２０３、が複数回実施され、最後に未加硫ゴムベルト取り外し工程Ｓ２０５が実施される。これらの工程が終了することで、１つの未加硫スリーブ１０５から複数の未加硫ゴムベルト１０６が形成されることになる。
【０１５３】
未加硫スリーブ配置工程Ｓ２０１は、主軸１６とともに回転するように構成された回転体２２の外周に未加硫スリーブ１０５が配置される工程として、構成されている。本実施形態では、例えば、回転体２２に対して未加硫のゴムシート及び心線１０４が巻き付けられることで回転体２２の周りに未加硫スリーブ１０５が形成され、これにより、未加硫スリーブ１０５が回転体２２に配置された状態となる。即ち、回転体２２を用いて前述の未加硫スリーブ形成工程Ｓ１０１が実施されて未加硫スリーブ１０５が形成され、未加硫スリーブ１０５が回転体２２に配置された状態となる。
【０１５４】
尚、回転体２２の外周に未加硫スリーブ１０５を配置する方法としては、上述の通りでなくてもよい。例えば、回転機構１１の回転体２２とは異なる別の回転体を用いて未加硫スリーブ１０５が形成され、その別の回転体から取り外された未加硫スリーブ１０５が、回転機構１１の回転体２２に対して装着されて配置される形態が実施されてもよい。
【０１５５】
水供給工程Ｓ２０２は、制御装置１４からの指令に基づいて、水圧調整弁４５の開度が調整されることで、実施される。具体的には、水供給工程Ｓ２０２では、全閉状態となっている水圧調整弁４５の開度が、該水圧調整弁４５を介して水流路４６へ流入する水の水圧が所望の値となるような開度に調整される。これにより、配水管Ｐからの水が水流路４６へ供給される。
【０１５６】
切断工程Ｓ２０３は、制御装置１４からの制御指令に基づいて、回転機構１１及び切断機構１２が作動することで、実施される。まず、制御装置１４からの制御指令に基づいて、モータ２０が回転し、駆動トルクがベルト駆動機構２１を介して主軸１６に伝達される。そして、主軸１６とともに回転体２２が回転し、回転体２２とともに回転体２２に配置された未加硫スリーブ１０５が回転する。また、制御装置１４からの制御指令に基づいて、ボールネジモータ２８ｂが所定の回数分だけ回転して移動プレート２９が基台部２６上で所定量移動する。
【０１５７】
そして、制御装置１４からの制御指令に基づいて、カッターモータ３３が回転し、駆動トルクが動力伝達部３４を介して回転刃３６に伝達され、回転刃３６が回転する。更に、制御装置１４からの制御指令に基づいて、シリンダ機構３２が作動し、移動ブロック３１とともに回転刃３６が未加硫スリーブ１０５に向かって進出する。これにより、未加硫スリーブ１０５が周方向に切断され、未加硫ゴムベルト１０６が形成される。
【０１５８】
そして、上述のように回転刃３６が回転すると、水流路４６を介して多孔質部３８にしみ込んだ水が、遠心力によって溝５１の流入端５１ａに到達した後、該溝５１を介して刃先部分３６ａへ供給される。これにより、回転刃３６の刃先部分３６ａと未加硫スリーブ１０５における切断対象部分との間を集中的に冷却できるため、未加硫スリーブ１０５をスムーズに切断できる。
【０１５９】
上記のように、切断工程Ｓ２０３は、外周に刃が設けられた回転刃３６が、回転体２２に配置されて回転体２２とともに回転する未加硫スリーブ１０５に対して、回転しながら押し付けられることで、未加硫スリーブ１０５が周方向に切断され、未加硫ゴムベルト１０６が形成される工程として、構成されている。
【０１６０】
未加硫スリーブ１０５が全周に亘って周方向に切断され、未加硫ゴムベルト１０６が形成されると、制御装置１４からの制御指令に基づいて、シリンダ機構３２が作動し、移動ブロック３１とともに回転刃３６が未加硫スリーブ１０５から離間する方向に向かって移動する。即ち、ロッド３２ｂがシリンダ体３２ａに向かって縮退し、移動ブロック３１とともに回転刃３６が、未加硫スリーブ１０５から退避する方向に移動する。これにより、水供給工程Ｓ２０２及び切断工程Ｓ２０３が一旦終了する。
【０１６１】
水供給工程Ｓ２０２及び切断工程Ｓ２０３が一旦終了すると、制御装置１４において、未加硫スリーブ１０５を全幅に亘って切断する処理が終了したか否かが判断される（工程Ｓ２０４）。即ち、工程Ｓ２０４においては、未加硫スリーブ１０５が周方向に切断されて未加硫ゴムベルト１０６が形成される処理が、未加硫スリーブ１０５の幅方向（図７及び図８で両端矢印Ｂで示す方向）における全長に亘って所定回数行われ、未加硫スリーブ１０５の全体が複数の未加硫ゴムベルト１０６に切断されたか否かが、判断される。尚、制御装置１４は、例えば、予め入力されている未加硫スリーブ１０５の切断前の状態の幅方向の寸法と、ボールネジモータ２８ｂの回転量の積算値とに基づいて、未加硫スリーブ１０５を全幅に亘って切断する処理が終了したか否かを判断する。
【０１６２】
工程Ｓ２０４において、未加硫スリーブ１０５を全幅に亘って切断する処理が終了していないと判断されると（工程Ｓ２０４、Ｎｏ）、まず、制御装置１４からの制御指令に基づいて、ボールネジモータ２８ｂが所定の回数分だけ回転し、移動プレート２９が、基台部２６上で、未加硫ゴムベルト１０６のベルト幅寸法に対応した所定量だけ移動する。そして、再び、水供給工程Ｓ２０２及び切断工程Ｓ２０３が実施される。これにより、回転体２２の外周において、次の未加硫ゴムベルト１０６が形成されることになる。
【０１６３】
上記のように水供給工程Ｓ２０２及び切断工程Ｓ２０３が実施され、未加硫ゴムベルト１０６が新たに形成されると、再び、制御装置１４にて、未加硫スリーブ１０５を全幅に亘って切断する処理が終了したか否かが判断される（工程Ｓ２０４）。未加硫スリーブ１０５が全幅に亘って切断する処理が終了していないと判断されるかぎり（工程Ｓ２０４、Ｎｏ）、上記の処理が繰り返されることになる。そして、工程Ｓ２０４と水供給工程Ｓ２０２及び切断工程Ｓ２０３とが繰り返されることで、回転体２２の外周に複数の未加硫ゴムベルト１０６が形成されていくことになる。
【０１６４】
図１７は、未加硫ゴムベルト形成装置１によって未加硫スリーブ１０５が全幅に亘って周方向に切断され、複数の未加硫ゴムベルト１０６が形成された状態を示す図である。工程Ｓ２０４と水供給工程Ｓ２０２及び切断工程Ｓ２０３とが繰り返され、図１７に示すように、未加硫スリーブ１０５が全幅に亘って切断されると、制御装置１４において、未加硫スリーブ１０５を全幅に亘って切断する処理が終了したと判断される（工程Ｓ２０４、Ｙｅｓ）。上記のように判断されると、制御装置１４からの制御指令に基づいて、回転機構１１、切断機構１２、及び水供給機構１３の作動が停止される。
【０１６５】
図１７に示すように、未加硫スリーブ１０５が全幅に亘って切断され、複数の未加硫ゴムベルト１０６が形成されると、次いで、未加硫ゴムベルト取り外し工程Ｓ２０５が実施される。未加硫ゴムベルト取り外し工程Ｓ２０５では、回転体２２の外周に配置された状態の複数の未加硫ゴムベルト１０６の全てが、回転体２２から取り外される。回転体２２から全ての未加硫ゴムベルト１０６が取り外されることで、図１６に示す未加硫ゴムベルト形成方法は終了することになる。
【０１６６】
［実施形態の作用効果］
以上のように、本実施形態に係る未加硫ゴムベルト形成装置１によると、回転機構１１及び切断機構１２が作動し、未加硫スリーブ１０５が周方向に切断されて未加硫ゴムベルト１０６が形成される際に溝５１へ水が供給される。このため、未加硫スリーブ１０５の切断中に未加硫スリーブ１０５と回転刃３６との間で発生する摩擦熱が、刃先部分３６ａへ供給された水によって効率よく抜熱されることになる。これにより、未加硫スリーブ１０５の切断中における摩擦熱による温度上昇を抑制することができる。
【０１６７】
そして、未加硫ゴムベルト形成装置１及び前述の実施形態に係る未加硫ゴムベルト形成方法によると、未加硫スリーブ１０５の切断中における摩擦熱による温度上昇を抑制できるため、未加硫スリーブ１０５の切断中に発煙して作業性の低下を招いてしまうことを抑制することができる。
【０１６８】
更に、未加硫ゴムベルト形成装置１及び前述の実施形態に係る未加硫ゴムベルト形成方法によると、未加硫スリーブ１０５の切断中における摩擦熱による温度上昇を抑制できるため、未加硫スリーブ１０５のゴムの粘性の上昇を抑制でき、回転刃３６にゴムが粘り付くように付着して粘着し易くなることも抑制できる。そして、所望の寸法通りに未加硫スリーブ１０５を切断することが容易となり、一つの未加硫ゴムベルト１０６の周方向において、ベルト幅方向の寸法のばらつきが生じてしまうことを抑制することができる。このため、この未加硫ゴムベルト１０６を素材として製造されるラップドＶベルト１００におけるベルト断面の寸法のばらつきが生じてしまうことを抑制でき、ベルト寿命の低下を招いてしまうことも抑制することができる。
【０１６９】
更に、未加硫ゴムベルト形成装置１及び前述の実施形態に係る未加硫ゴムベルト形成方法によると、未加硫スリーブ１０５の切断中における摩擦熱による温度上昇を抑制し、回転刃３６にゴムが粘り付くように付着して粘着し易くなることを抑制できるため、切断中に回転刃３６の鋭さが鈍ってしまうことも抑制することができる。このため、未加硫スリーブ１０５が押し切られるように切断され、未加硫ゴムベルト１０６の角部分の形状が大きく変形してしまうことを抑制することができる。これにより、加硫されてラップドＶベルト１００が製造された際に心線１０４の並びが乱れてしまう現象が生じることも抑制でき、ベルト耐久性の低下を招いてしまうことを抑制することができる。
【０１７０】
よって、未加硫ゴムベルト形成装置１及び前述の実施形態に係る未加硫ゴムベルト形成方法によると、未加硫ゴムベルト１０６の品質の低下を抑制し、更に、未加硫ゴムベルト１０６を素材として製造されるラップドＶベルト１００の品質の低下も抑制することができる。
【０１７１】
また、未加硫ゴムベルト形成装置１及び前述の実施形態に係る未加硫ゴムベルト形成方法によると、未加硫スリーブ１０５が周方向に切断されて未加硫ゴムベルト１０６が形成される際に、溝５１を介して回転刃３６の外部へごく僅かな水が流出する。このため、未加硫ゴムベルト１０６に対して水分が付着及び浸透することを抑制することができる。これにより、未加硫ゴムベルト形成装置１及び前述の実施形態に係る未加硫ゴムベルト形成方法によると、流水を切断中の回転刃にかけながら未加硫スリーブ１０５を切断して未加硫ゴムベルト１０６を形成する手法とは異なり、乾燥工程がほぼ不要となる。よって、ラップドＶベルト１００の製造時に、多くの乾燥時間を要して作業能率の低下を招いてしまうことも抑制できる。
【０１７２】
以上説明したように、未加硫ゴムベルト形成装置１及び前述の実施形態に係る未加硫ゴムベルト形成方法によると、未加硫スリーブ１０５の切断中における摩擦熱による温度上昇を抑制でき、作業能率の低下を招いてしまうことを抑制できるとともに、未加硫ゴムベルト１０６の品質の低下を抑制し、更に、未加硫ゴムベルト１０６を素材として製造されるラップドＶベルト１００の品質の低下も抑制することができる。
【０１７３】
また、未加硫ゴムベルト形成装置１によると、水供給機構１３によって溝５１における径方向内側の端部から供給された水が、回転する回転刃３６の遠心力によって溝５１内を流れて、回転刃３６の刃先部分３６ａへ移動する。これにより、溝５１における径方向内側の端部に供給された水を、回転刃３６の回転力を利用して効率的に刃先部分３６ａへ移動させることができる。
【０１７４】
ところで、例えば、回転刃３６を冷却する水が、回転刃３６の中心部分からずれた箇所へ供給されると、その水は、遠心力によってその箇所よりも径方向外側の刃先部分３６ａへ集中的に流れてしまう。そうすると、それ以外の刃先部分３６ａには水が流れにくくなってしまうため、水が流れにくい刃先部分３６ａの温度が上昇してしまう虞がある。
【０１７５】
この点につき、未加硫ゴムベルト形成装置１によると、回転刃３６の中心部分から該回転刃３６へ流入した水を、回転刃３６の刃先部分３６ａの全周に亘って万遍なく移動させることができるため、刃先部分３６ａ全周を平均的に冷却及び潤滑することができる。
【０１７６】
また、未加硫ゴムベルト形成装置１では、溝５１が、回転刃本体３７の径方向内側から径方向外側へ向かって徐々に浅くなるように形成されている。こうすると、溝５１の流入端５１ａに供給された水が、回転刃３６の遠心力によって径方向外側へ向かって流れる際、溝５１から徐々に溢れ出す。そうすると、回転刃３６の刃先部分３６ａのうち溝５１が形成された部分だけでなく、刃先部分３６ａにおけるその他の部分にも水が行き渡る。これにより、刃先部分３６ａ全体を万遍なく冷却できる。
【０１７７】
また、未加硫ゴムベルト形成装置１では、底面部５２と鋭角側面部５３ｂとの間の角度θが、鋭角となっている。こうすると、溝５１の開口部５４の幅Ｗｂの寸法を維持しつつ、溝５１の延出方向に垂直な方向における溝５１の断面積を大きくすることができる。これにより、溝５１の開口部５４から外方への水の飛散を抑制しつつ、溝５１内へ多くの水を案内することができる。これにより、刃先部分３６ａへ供給される水の量を確保することができる。
【０１７８】
また、未加硫ゴムベルト形成装置１によると、多孔質部３８内に一旦保持された水を刃先部分３６ａへ供給することができるため、刃先部分３６ａへ供給される水量の安定化を図ることができる。
【０１７９】
また、未加硫ゴムベルト形成装置１では、多孔質部３８の外側が漏水防止シート３９によって覆われている。こうすると、多孔質部３８内にしみ込んだ水が、溝５１の流入端５１ａ以外の部分から流出することを防止できる。言い換えれば、未加硫ゴムベルト形成装置１によると、水を、溝５１の流入端５１ａへ集中的に流すことができるため、ひいては、刃先部分３６ａへ水を集中的に流すことができる。これにより、回転刃３６及び未加硫スリーブ１０５を効率的に冷却できるため、回転刃３６のうち摩擦熱による温度上昇が起こり易い刃先部分３６ａを、少ない水で効率的に冷却することができる。
【０１８０】
また、未加硫ゴムベルト形成装置１のように、透水性の低いシート状の部材（漏水防止シート３９）で多孔質部３８の外側を覆うことで、多孔質部３８からの水漏れを、比較的容易に防止できる。
【０１８１】
また、未加硫ゴムベルト形成装置１のように、回転刃本体３７に直線状の溝５１を形成することで、簡素化された形状の溝を形成することができる。
【０１８２】
また、未加硫ゴムベルト形成装置１のように、回転刃本体３７に複数の溝５１を形成することで、各溝５１を流れる水によって、刃先部分３６ａを均一的に冷却することができる。
【０１８３】
また、未加硫ゴムベルト形成装置１によると、水圧調整機構としての水圧調整弁４５によって、回転刃３６に供給される水の流量を容易に調整することができる。そうすると、例えば一例として、回転刃３６を冷却及び潤滑するための必要最小限の水を回転刃３６に供給できるため、節水性に優れた装置を提供できる。
【０１８４】
以上、本発明の実施形態について説明したが、本発明は上述の実施の形態に限られるものではなく、特許請求の範囲に記載した限りにおいて様々に変更して実施することができるものである。
【０１８５】
（１）上記実施形態では、多孔質部３８が連通気孔４１を有する多孔質セラミックで形成されている例を挙げて説明したが、これに限らず、連通気孔４１を有する多孔質材料であれば、どのような材料が用いられてもよい。例えば、多孔質部３８として、連通気孔４１を有する多孔質金属が用いられてもよい。
【０１８６】
（２）例えば、上述した実施形態において、回転刃３６が装置に対して取替可能な未加硫ゴムベルト形成装置を構成してもよい。この場合、例えば、未加硫ゴムベルト形成装置は、回転刃３６を当該装置に対して取り付けるためのアタッチメント（図示省略）を備えることができる。
【０１８７】
（３）上述した実施形態では、回転刃３６に用いられる漏水防止部として漏水防止シート３９を用いる例を挙げて説明したが、これに限らない。具体的には、例えば一例として、水を通しにくいコーティングを、多孔質部３８の外側に形成してもよい。或いは、漏水防止シート３９等の漏水防止部が省略された回転刃を有する装置を構成することもできる。
【０１８８】
（４）上述した実施形態では、多孔質部３８の連通気孔４１へ水を供給する水流路４６を円筒部４２で構成する例を挙げて説明したが、これに限らず、多孔質部３８の連通気孔４１へ水を供給可能であれば、水流路４６の構成はどのような構成であってもよい。
【０１８９】
（５）上述した実施形態では、水圧調整弁４５の開閉を制御装置１４によって行う例を挙げて説明したが、これに限らない。具体的には、電磁弁で構成された水圧調整弁の代わりに、手動で水圧を調整可能な水圧調整弁を設けてもよい。
【０１９０】
（６）上述した実施形態では、円筒部４２内を流れる水の圧力を調整する圧力調整機構として水圧調整弁４５を用いる例を挙げて説明したが、これに限らない。具体的には、例えば一例として、上流側からの水の圧力を昇圧可能なポンプを圧力調整機構として設けてもよい。
【０１９１】
（７）上述した実施形態では、水圧調整弁４５を備えた未加硫ゴムベルト形成装置１を例に挙げて説明したが、これに限らず、水圧調整弁４５が省略された構成を有する未加硫ゴムベルト形成装置を構成してもよい。
【０１９２】
（８）上述した実施形態では、水供給機構１３が、水圧調整弁４５及び水流路４６を有している例を挙げて説明したが、これに限らず、これらに加えて、更に配水管Ｐを有していてもよい。
【０１９３】
（９）上述した実施形態では、溝５１が有する一対の側面部のうちの一方のみ（具体的には、鋭角側面部５３ｂ）と底面部５２との間の角度が鋭角である例を挙げて説明したが、これに限らない、具体的には、底面部と各側面部との間の角度が鋭角であってもよい。
【０１９４】
（１０）上述した実施形態では、溝５１が、回転刃本体３７における径方向内側から径方向外側へ向かって徐々に浅くなるように形成されている例を挙げて説明したが、これに限らない。具体的には、溝５１の深さが、径方向内側から径方向外側に亘って一定となるように形成されていてもよい。
【０１９５】
（１１）上述した実施形態では、多孔質部３８を有する回転刃３６を例に挙げて説明したが、これに限らない。具体的には、多孔質部３８が省略された回転刃を構成してもよい。この場合、溝が形成された回転刃本体の中心部分に回転軸が固定されることになる。また、この場合、回転刃本体に形成された溝における径方向内側の端部に、水供給機構１３によって水が直接、供給されることになる。
【０１９６】
（１２）図１８は、変形例に係る未加硫ゴムベルト形成装置のカッター部における回転刃６０付近の部分断面図であって、水供給機構１３ａとともに模式的に示す図である。また図１９は、図１８に示す回転刃６０の正面図である。図１８は、図１１に対応している。変形例に係る未加硫ゴムベルト形成装置は、上述した実施形態に係る未加硫ゴムベルト形成装置と比べて、回転刃及び水供給機構の構成が異なっている。以下では、上記実施形態と異なる部分について主に説明し、それ以外の部分については説明を省略する。
【０１９７】
本変形例では、回転刃６０は、外周に刃が設けられた円形形状の丸刃である回転刃本体７０で構成されている。回転刃６０は、外周側に向かって鋭く切っ先状に尖るように形成された刃が設けられた硬質状の部分である。回転刃６０の外周の刃（刃先部分６０ａ）は、回転刃６０の外周の全周に亘って設けられている。本実施形態では、回転刃６０は超鋼材料で構成される。しかし、これに限らず、セラミックで構成されていてもよい。回転刃６０の外径Ｄは、例えば一例として、上記実施形態の場合と同様、２００ｍｍである。回転刃６０の中心には回転軸用貫通孔６０ｂが形成されていて、その回転軸用貫通孔６０ｂには、回転軸４０が挿入された状態で固定されている。
【０１９８】
また、回転刃６０には、上記実施形態の回転刃３６に形成されているものと概ね同様の形状を有する溝５５が形成されている。本変形例の溝５５は、上記実施形態の溝５１と異なり、溝５５における径方向内側の端部５１ａが回転軸４０まで延びている。本変形例における溝５５のその他の形状、本数及び位置等は、上記実施形態の溝５１と同様であるため、その説明を省略する。
【０１９９】
本変形例では、水供給機構１３ａは、内部に水ｗを貯留可能な水槽１３ｂである。本変形例に係る未加硫ゴムベルト形成装置では、回転刃６０が回転して未加硫スリーブを切断しているときに、回転刃６０の刃先部分６０ａにおける未加硫スリーブを切断している部分とは異なる部分が、水槽１３ｂ内の水ｗに浸漬される。そうすると、回転刃６０における水ｗに浸漬されている部分に形成されている溝５５に水ｗがすくい取られ、その水ｗが刃先部分６０ａを冷却及び潤滑する。これにより、上記実施形態の場合と同様、未加硫スリーブ１０５の切断中における摩擦熱による温度上昇を抑制でき、作業能率の低下を招いてしまうことを抑制できるとともに、未加硫ゴムベルト１０６の品質の低下を抑制し、更に、未加硫ゴムベルト１０６を素材として製造されるラップドＶベルト１００の品質の低下も抑制することができる。
【０２００】
しかも、本変形例によれば、回転刃６０の回転中に該回転刃６０の刃先部分６０ａが浸漬される水ｗが貯留される水槽１３ｂを設けるだけで、少なくとも回転刃６０の刃先部分６０ａに設けられた溝５５に水ｗを供給することができる。言い換えれば、本変形例によれば、容易な構成で、回転刃６０の刃先部分６０ａへ水を供給することができる。
【０２０１】
また、本変形例でも、上記実施形態の場合と同様、溝５５が、回転刃６０の径方向内側から径方向外側へ向かって徐々に浅くなるように形成されている。こうすると、溝５５に供給された水ｗが、回転刃６０の遠心力によって径方向外側へ向かって流れる際、溝５５から徐々に溢れ出す。そうすると、刃先部分６０ａにおける溝５５が形成された部分だけでなく、刃先部分６０ａにおけるその他の部分にも水が行き渡る。これにより、刃先部分６０ａ全体を万遍なく冷却できる。
【０２０２】
また、本変形例でも、溝５５における底面部５２と鋭角側面部５３ｂとの間の角度θが、鋭角となっている。こうすると、溝５５の開口部５４の幅Ｗｂの寸法を維持しつつ、溝５５の延出方向に垂直な方向における溝５５の断面積を大きくすることができる。これにより、溝５５の開口部５４から外方への水の飛散を抑制しつつ、溝５５内へ多くの水を案内することができる。これにより、刃先部分６０ａへ供給される水の量を確保することができる。また、溝５５における底面部５２と鋭角側面部５３ｂとの間の角度θを鋭角とすることにより、水槽１３ｂ内の水ｗをより確実に溝５５ですくい取ることができる。
【０２０３】
なお、本変形例に係る未加硫ゴムベルト形成装置を用いて行われる未加硫ゴムベルト形成方法では、図２及び図１６を参照して、上記実施形態に係る未加硫ゴムベルト形成装置１を用いた未加硫ゴムベルト形成方法で行われる各工程と同様の工程が行われる。但し、本変形例での水供給工程Ｓ２０２では、未加硫スリーブ切断中の回転刃６０が水槽１３ｂに貯留された水ｗに浸漬される。これにより、回転刃６０に形成された溝５５に水ｗが供給される。
【０２０４】
（１３）図２０は、変形例に係る未加硫ゴムベルト形成装置が有する、回転刃本体７１で構成された回転刃６１の正面図である。図１９を用いて説明した変形例では、回転刃６０に形成された各溝５５が、回転刃６０における径方向内側の部分から径方向外側の部分まで延びるように形成されている例を挙げて説明したが、これに限らない。具体的には、図２０に示すように、回転刃６１に形成された各溝５６が、回転刃６０における刃先部分６１ａよりも径方向内側の部分から径方向外側に向かって延びるように形成されていてもよい。この場合であっても、図１８及び図１９を用いて説明した変形例の場合と同様、未加硫スリーブ１０５の切断中における摩擦熱による温度上昇を抑制でき、作業能率の低下を招いてしまうことを抑制できるとともに、未加硫ゴムベルト１０６の品質の低下を抑制し、更に、未加硫ゴムベルト１０６を素材として製造されるラップドＶベルト１００の品質の低下も抑制することができる。
【０２０５】
（１４）図２１は、変形例に係る未加硫ゴムベルト形成装置が有する、回転刃本体７２で構成された回転刃６２の正面図である。図２０を用いて説明した変形例では、回転刃６１に形成された各溝５６が、回転刃６１の径方向に延びている例を挙げて説明したが、これに限らない。具体的には、図２１に示すように、各溝５７を、該溝５７における径方向外側の端部５１ｂと回転刃６２の回転中心とを結ぶ直線に対して斜め方向に延びるように形成してもよい。
【０２０６】
図２２は、図２１に示す回転刃６２の一部と水槽１３ｂとを模式的に示す図である。本変形例では、回転刃６２の回転方向ｄ１が、回転刃６２に形成された溝５７における径方向外側の端部５１ｂから水槽１３ｂ内の水ｗが侵入するような方向に設定されている。こうすると、溝５７内へ効率的に水ｗを含ませることができる。
【産業上の利用可能性】
【０２０７】
本発明は、未加硫ゴムベルトの形成装置、及び未加硫ゴムベルトの形成方法に関して、広く適用することができる。
【符号の説明】
【０２０８】
１                          未加硫ゴムベルト形成装置
１１                        回転機構
１２                        切断機構
１３，１３ａ                水供給機構
１６                        主軸
２２                        回転体
３６，６０，６１，６２      回転刃
３７，７０，７１，７２      回転刃本体
５１，５５，５６，５７      溝
１０５            未加硫スリーブ
１０６            未加硫ゴムベルト
【図１】
2018103351.tif 000003
【図２】
2018103351.tif 000004
【図３】
2018103351.tif 000005
【図４】
2018103351.tif 000006
【図５】
2018103351.tif 000007
【図６】
2018103351.tif 000008
【図７】
2018103351.tif 000009
【図８】
2018103351.tif 000010
【図９】
2018103351.tif 000011
【図１０】
2018103351.tif 000012
【図１１】
2018103351.tif 000013
【図１２】
2018103351.tif 000014
【図１３】
2018103351.tif 000015
【図１４】
2018103351.tif 000016
【図１５】
2018103351.tif 000017
【図１６】
2018103351.tif 000018
【図１７】
2018103351.tif 000019
【図１８】
2018103351.tif 000020
【図１９】
2018103351.tif 000021
【図２０】
2018103351.tif 000022
【図２１】
2018103351.tif 000023
【図２２】
2018103351.tif 000024